(57)【特許請求の範囲】
【請求項１】
ハイブリッドアクセスモードで動作するホーム基地局のためのリソースをスケジュールするための方法であって、
前記ホーム基地局に接続されたモバイルデバイスが、前記ホーム基地局に関連付けられた限定加入者グループのメンバーであるのか非メンバーであるのかを識別することと、
前記モバイルデバイスが非メンバーであるとき、パラメータに従って前記モバイルデバイスにデータ伝送のためのリソースを割り当てることであって、前記パラメータが、前記限定加入者グループの非メンバーに割当て可能なリソースの最大量を指定する、割り当てることと、
前記限定加入者グループの非メンバーに割り当てられたリソースの現在の量を監視することと、
非メンバーに割り当てられたリソースの前記現在の量が前記パラメータによって定義されたピークの近くにあるとき、前記ホーム基地局に接続された少なくとも１つの非メンバーユーザについてハンドオーバを開始することと
を備える、方法。
【請求項２】
前記ホーム基地局に接続された非メンバーモバイルデバイスのセットを識別することと、
非メンバーモバイルデバイスの前記セットに割り当てられるリソースの量が前記パラメータを下回ったままであるように、非メンバーモバイルデバイスの前記セットをスケジュールすることと
をさらに備える、請求項１に記載の方法。
【請求項３】
スケジュールすることは、サブフレームのリソースの一部分が前記パラメータを超えないように非メンバーモバイルデバイスの前記セットにリソースの前記一部分を割り当てることをさらに備える、請求項２に記載の方法。
【請求項４】
非メンバーモバイルデバイスの前記セットに割り当てられるリソースの前記量が、経時的に平均して、前記パラメータを超えない、請求項２に記載の方法。
【請求項５】
前記パラメータがパーセンテージを含み、前記パーセンテージが、前記限定加入者グループの非メンバーに割当て可能な全リソースの一部分を示す、請求項１に記載の方法。
【請求項６】
前記モバイルデバイスからスケジューリング要求を受信することであって、前記スケジューリング要求がアップリンクリソースの申請である、受信することと、
前記スケジューリング要求を許可するのに必要とされるリソースの量を特定することと、
前記パラメータと、前記限定加入者グループの非メンバーに割り当てられるリソースの現在の量とに少なくとも部分的に基づいて、非メンバーに割当て可能である利用可能なリソースの量を決定することと、
利用可能なリソースの前記量が、必要とされるリソースの前記量以上であるとき、前記スケジューリング要求を許可することと、
利用可能なリソースの前記量が、必要とされるリソースの前記量未満であるとき、前記スケジューリング要求を拒否することと
をさらに備える、請求項１に記載の方法。
【請求項７】
第２のモバイルデバイスから接続を確立したいという要求を受信することと、
前記第２のモバイルデバイスが前記限定加入者グループ中に含まれるかどうかを識別することと、
前記パラメータと、前記限定加入者グループの非メンバーに割り当てられるリソースの現在の量とに少なくとも部分的に基づいて、非メンバーに割当て可能である利用可能なリソースの量を決定することと、
利用可能なリソースの前記量が０に等しく、前記第２のモバイルデバイスが前記限定加入者グループの非メンバーであるとき、接続を確立したいという前記要求を拒否することと、
利用可能なリソースの前記量が０よりも大きいか、または前記第２のモバイルデバイスが前記限定加入者グループのメンバーであるかのうちの少なくとも１つであるとき、前記第２のモバイルデバイスとの接続を確立することと
をさらに備える、請求項１に記載の方法。
【請求項８】
ワイヤレス通信装置であって、
前記ワイヤレス通信装置に接続されたモバイルデバイスが限定加入者グループのメンバーであるのか非メンバーであるのかを識別することと、
前記モバイルデバイスが非メンバーであるとき、パラメータに従って前記モバイルデバイスにデータ伝送のためのリソースを割り当てることであって、前記パラメータが、前記限定加入者グループの非メンバーに割当て可能なリソースの最大量を指定する、割り当てることと、
前記限定加入者グループの非メンバーに割り当てられたリソースの現在の量を監視することと、
非メンバーに割り当てられたリソースの前記現在の量が前記パラメータによって定義されたピークの近くにあるとき、前記ワイヤレス通信装置と接続された少なくとも１つの非メンバーユーザについてハンドオーバを開始することと
を行うように構成された少なくとも１つのプロセッサ
を備える、ワイヤレス通信装置。
【請求項９】
前記少なくとも１つのプロセッサが、
前記ワイヤレス通信装置に接続された非メンバーモバイルデバイスのセットを識別することと、
非メンバーモバイルデバイスの前記セットに割り当てられるリソースの量が前記パラメータを下回ったままであるように、非メンバーモバイルデバイスの前記セットをスケジュールすることと
を行うようにさらに構成された、請求項８に記載のワイヤレス通信装置。
【請求項１０】
前記少なくとも１つのプロセッサが、サブフレームのリソースの一部分が前記パラメータを超えないように非メンバーモバイルデバイスの前記セットにリソースの前記一部分を割り当てるようにさらに構成された、請求項９に記載のワイヤレス通信装置。
【請求項１１】
非メンバーモバイルデバイスの前記セットに割り当てられるリソースの前記量が、経時的に平均して、前記パラメータを超えない、請求項９に記載のワイヤレス通信装置。
【請求項１２】
前記パラメータがパーセンテージを含み、前記パーセンテージが、前記限定加入者グループの非メンバーに割当て可能な全リソースの一部分を示す、請求項８に記載のワイヤレス通信装置。
【請求項１３】
前記少なくとも１つのプロセッサが、
前記モバイルデバイスからスケジューリング要求を受信することであって、前記スケジューリング要求がアップリンクリソースの申請である、受信することと、
前記スケジューリング要求を許可するのに必要とされるリソースの量を特定することと、
前記パラメータと、前記限定加入者グループの非メンバーに割り当てられるリソースの現在の量とに少なくとも部分的に基づいて、非メンバーに割当て可能である利用可能なリソースの量を決定することと、
利用可能なリソースの前記量が、必要とされるリソースの前記量以上であるとき、前記スケジューリング要求を許可することと、
利用可能なリソースの前記量が、必要とされるリソースの前記量未満であるとき、前記スケジューリング要求を拒否することと
を行うようにさらに構成された、請求項８に記載のワイヤレス通信装置。
【請求項１４】
前記少なくとも１つのプロセッサが、
第２のモバイルデバイスから接続を確立したいという要求を受信することと、
前記第２のモバイルデバイスが前記限定加入者グループ中に含まれるかどうかを識別することと、
前記パラメータと、前記限定加入者グループの非メンバーに割り当てられるリソースの現在の量とに少なくとも部分的に基づいて、非メンバーに割当て可能である利用可能なリソースの量を決定することと、
前記利用可能なリソースの量が０に等しく、前記第２のモバイルデバイスが前記限定加入者グループの非メンバーであるとき、接続を確立したいという前記要求を拒否することと、
利用可能なリソースの前記量が０よりも大きいか、または前記第２のモバイルデバイスが前記限定加入者グループのメンバーであるかのうちの少なくとも１つであるとき、前記第２のモバイルデバイスとの接続を確立することと
を行うようにさらに構成された、請求項８に記載のワイヤレス通信装置。
【請求項１５】
装置であって、
前記装置に接続されたモバイルデバイスが限定加入者グループのメンバーであるのか非メンバーであるのかを識別するための手段と、
前記モバイルデバイスが非メンバーであるとき、パラメータに従って前記モバイルデバイスにデータ伝送のためのリソースを割り当てるための手段であって、前記パラメータが、前記限定加入者グループの非メンバーに割当て可能なリソースの最大量を指定する、割り当てるための手段と、
前記限定加入者グループの非メンバーに割り当てられたリソースの現在の量を監視するための手段と、
非メンバーに割り当てられたリソースの前記現在の量が前記パラメータによって定義されたピークの近くにあるとき、前記装置と接続された少なくとも１つの非メンバーユーザについてハンドオーバを開始するための手段と
を備える、装置。
【請求項１６】
前記装置に接続された非メンバーモバイルデバイスのセットを識別するための手段と、
非メンバーモバイルデバイスの前記セットに割り当てられるリソースの量が前記パラメータを下回ったままであるように、非メンバーモバイルデバイスの前記セットをスケジュールするための手段と
をさらに備える、請求項１５に記載の装置。
【請求項１７】
サブフレームのリソースの一部分が前記パラメータを超えないように非メンバーモバイルデバイスの前記セットにリソースの前記一部分を割り当てるための手段をさらに備える、請求項１６に記載の装置。
【請求項１８】
非メンバーモバイルデバイスの前記セットに割り当てられるリソースの前記量が、経時的に平均して、前記パラメータを超えない、請求項１６に記載の装置。
【請求項１９】
前記パラメータがパーセンテージを含み、前記パーセンテージが、前記限定加入者グループの非メンバーに割当て可能な全リソースの一部分を示す、請求項１５に記載の装置。
【請求項２０】
前記モバイルデバイスからスケジューリング要求を受信するための手段であって、前記スケジューリング要求がアップリンクリソースの申請である、受信するための手段と、
前記スケジューリング要求を許可するのに必要とされるリソースの量を特定するための手段と、
前記パラメータと、前記限定加入者グループの非メンバーに割り当てられるリソースの現在の量とに少なくとも部分的に基づいて、非メンバーに割当て可能である利用可能なリソースの量を決定するための手段と、
利用可能なリソースの前記量が、必要とされるリソースの前記量以上であるとき、前記スケジューリング要求を許可するための手段と、
利用可能なリソースの前記量が、必要とされるリソースの前記量未満であるとき、前記スケジューリング要求を拒否するための手段と
をさらに備える、請求項１５に記載の装置。
【請求項２１】
第２のモバイルデバイスから接続を確立したいという要求を受信するための手段と、
前記第２のモバイルデバイスが前記限定加入者グループ中に含まれるかどうかを識別するための手段と、
前記パラメータと、前記限定加入者グループの非メンバーに割り当てられるリソースの現在の量とに少なくとも部分的に基づいて、非メンバーに割当て可能である利用可能なリソースの量を決定するための手段と、
利用可能なリソースの前記量が０に等しく、前記第２のモバイルデバイスが前記限定加入者グループの非メンバーであるとき、接続を確立したいという前記要求を拒否するための手段と、
利用可能なリソースの前記量が０よりも大きいか、または前記第２のモバイルデバイスが前記限定加入者グループのメンバーであるかのうちの少なくとも１つであるとき、前記第２のモバイルデバイスとの接続を確立するための手段と
をさらに備える、請求項１５に記載の装置。
【請求項２２】
少なくとも１つのコンピュータに、ホーム基地局に接続されたモバイルデバイスが、前記ホーム基地局に関連付けられた限定加入者グループのメンバーであるのか非メンバーであるのかを識別させるためのコードと、
前記少なくとも１つのコンピュータに、前記モバイルデバイスが非メンバーであるとき、パラメータに従って前記モバイルデバイスにデータ伝送のためのリソースを割り当てさせるためのコードであって、前記パラメータが、前記限定加入者グループの非メンバーに割当て可能なリソースの最大量を指定する、割り当てさせるためのコードと、
前記少なくとも１つのコンピュータに、前記限定加入者グループの非メンバーに割り当てられたリソースの現在の量を監視させるためのコードと、
前記少なくとも１つのコンピュータに、非メンバーに割り当てられたリソースの前記現在の量が前記パラメータによって定義されたピークの近くにあるとき、前記ホーム基地局に接続された少なくとも１つの非メンバーユーザについてハンドオーバを開始させるためのコードと
を備える、コンピュータプログラム。
【請求項２３】
前記少なくとも１つのコンピュータに、前記ホーム基地局に接続された非メンバーモバイルデバイスのセットを識別させるためのコードと、
前記少なくとも１つのコンピュータに、非メンバーモバイルデバイスの前記セットに割り当てられるリソースの量が前記パラメータを下回ったままであるように、非メンバーモバイルデバイスの前記セットをスケジュールさせるためのコードと
をさらに備える、請求項２２に記載のコンピュータプログラム。
【請求項２４】
非メンバーモバイルデバイスの前記セットに割り当てられるリソースの前記量が、経時的に平均して、前記パラメータを超えない、請求項２３に記載のコンピュータプログラム。
【請求項２５】
前記少なくとも１つのコンピュータに、サブフレームのリソースの一部分が前記パラメータを超えないように非メンバーモバイルデバイスの前記セットにリソースの前記一部分を割り当てさせるためのコードをさらに備える、請求項２３に記載のコンピュータプログラム。
【請求項２６】
前記パラメータがパーセンテージを含み、前記パーセンテージが、前記限定加入者グループの非メンバーに割当て可能な全リソースの一部分を示す、請求項２２に記載のコンピュータプログラム。
【請求項２７】
前記少なくとも１つのコンピュータに、前記モバイルデバイスからスケジューリング要求を受信させるためのコードであって、前記スケジューリング要求がアップリンクリソースの申請である、受信させるためのコードと、
前記少なくとも１つのコンピュータに、前記スケジューリング要求を許可するのに必要とされるリソースの量を特定させるためのコードと、
前記少なくとも１つのコンピュータに、前記パラメータと、前記限定加入者グループの非メンバーに割り当てられるリソースの現在の量とに少なくとも部分的に基づいて、非メンバーに割当て可能である利用可能なリソースの量を決定させるためのコードと、
前記少なくとも１つのコンピュータに、利用可能なリソースの前記量が、必要とされるリソースの前記量以上であるとき、前記スケジューリング要求を許可させるためのコードと、
前記少なくとも１つのコンピュータに、利用可能なリソースの前記量が、必要とされるリソースの前記量未満であるとき、前記スケジューリング要求を拒否させるためのコードと
をさらに備える、請求項２２に記載のコンピュータプログラム。
【請求項２８】
前記少なくとも１つのコンピュータに、第２のモバイルデバイスから接続を確立したいという要求を受信させるためのコードと、
前記少なくとも１つのコンピュータに、前記第２のモバイルデバイスが前記限定加入者グループ中に含まれるかどうかを識別させるためのコードと、
前記少なくとも１つのコンピュータに、前記パラメータと、前記限定加入者グループの非メンバーに割り当てられるリソースの現在の量とに少なくとも部分的に基づいて、非メンバーに割当て可能である利用可能なリソースの量を決定させるためのコードと、
前記少なくとも１つのコンピュータに、利用可能なリソースの前記量が０に等しく、前記第２のモバイルデバイスが前記限定加入者グループの非メンバーであるとき、接続を確立したいという前記要求を拒否させるためのコードと、
前記少なくとも１つのコンピュータに、利用可能なリソースの前記量が０よりも大きいか、または前記第２のモバイルデバイスが前記限定加入者グループのメンバーであるかのうちの少なくとも１つであるとき、前記第２のモバイルデバイスとの接続を確立させるためのコードと
をさらに備える、請求項２２に記載のコンピュータプログラム。
【請求項２９】
モバイルデバイスが限定加入者グループのメンバーまたは非メンバーのいずれであるのかを決定する識別モジュールと、
前記モバイルデバイスにリソースを割り当てるスケジューラと、
前記モバイルデバイスが前記限定加入者グループの非メンバーであるとき、パラメータに従って前記モバイルデバイスに割り当てられるリソースの量を制限するリソース制御モジュールであって、前記パラメータが、前記限定加入者グループの非メンバーに割当て可能なリソースの最大量を指定する、リソース制御モジュールと、
前記限定加入者グループの非メンバーに割り当てられたリソースの現在の量を監視するモジュールと、
非メンバーに割り当てられたリソースの前記現在の量が前記パラメータによって定義されたピークの近くにあるとき、前記ホーム基地局に接続された少なくとも１つの非メンバーユーザについてハンドオーバを開始するモジュールと
を備える、装置。
【請求項３０】
前記リソース制御モジュールは、前記スケジューラが非メンバーに、割当て可能なリソースの前記最大量以下であるリソースの量を割り当てることを保証する、請求項２９に記載の装置。
【請求項３１】
前記識別モジュールが、前記モバイルデバイスに関連付けられた識別情報を取得し、前記識別情報をアクセスリストに問い合わせる、請求項２９に記載の装置。
【請求項３２】
ホーム基地局へのアクセスを管理するための方法であって、
モバイルデバイスから接続を確立したいという要求を受信することと、
前記モバイルデバイスが、前記ホーム基地局に関連付けられた限定加入者グループのメンバーまたは非メンバーのいずれであるのかを識別することと、
パラメータに少なくとも部分的に基づいて前記モバイルデバイスを承認すべきか拒否すべきかを決定することであって、前記パラメータが、同時非メンバーユーザの最大数を指定する、決定することと、
同時非メンバーユーザの数が前記パラメータによって指定された前記最大数にいつ達するかを識別することと、
少なくとも１つの同時非メンバーユーザについてハンドオーバを開始することと
を備える、方法。
【請求項３３】
前記ホーム基地局に接続された非メンバーの現在の数を決定することと、
非メンバーの前記現在の数を前記パラメータと比較することと、
非メンバーの前記現在の数が前記パラメータ以上であるとき、前記要求を拒否することと、
非メンバーの前記現在の数が前記パラメータ未満であるとき、前記モバイルデバイスを承認することと
をさらに備える、請求項３２に記載の方法。
【請求項３４】
ワイヤレス通信装置であって、
モバイルデバイスから接続を確立したいという要求を受信することと、
前記モバイルデバイスが、前記ワイヤレス通信装置に関連付けられた限定加入者グループのメンバーまたは非メンバーのいずれであるのかを識別することと、
パラメータに少なくとも部分的に基づいて前記モバイルデバイスを承認すべきか拒否すべきかを決定することであって、前記パラメータが、同時非メンバーユーザの最大数を指定する、決定することと、
同時非メンバーユーザの数が前記パラメータによって指定された前記最大数にいつ達するかを識別することと、
少なくとも１つの同時非メンバーユーザについてハンドオーバを開始することと
を行うように構成された少なくとも１つのプロセッサ
を備える、ワイヤレス通信装置。
【請求項３５】
前記少なくとも１つのプロセッサが、
前記ワイヤレス通信装置に接続された非メンバーの現在の数を決定することと、
非メンバーの前記現在の数を前記パラメータと比較することと、
非メンバーの前記現在の数が前記パラメータ以上であるとき、前記要求を拒否することと、
非メンバーの前記現在の数が前記パラメータ未満であるとき、前記モバイルデバイスを承認することと
を行うようにさらに構成された、請求項３４に記載のワイヤレス通信装置。
【請求項３６】
装置であって、
モバイルデバイスから接続を確立したいという要求を受信するための手段と、
前記モバイルデバイスが、前記装置に関連付けられた限定加入者グループのメンバーまたは非メンバーのいずれであるのかを識別するための手段と、
パラメータに少なくとも部分的に基づいて前記モバイルデバイスを承認すべきか拒否すべきかを決定するための手段であって、前記パラメータが、同時非メンバーユーザの最大数を指定する、決定するための手段と、
同時非メンバーユーザの数が前記パラメータによって指定された前記最大数にいつ達するかを識別するための手段と、
少なくとも１つの同時非メンバーユーザについてハンドオーバを開始するための手段と
を備える、装置。
【請求項３７】
前記装置に接続された非メンバーの現在の数を決定するための手段と、
非メンバーの前記現在の数を前記パラメータと比較するための手段と、
非メンバーの前記現在の数が前記パラメータ以上であるとき、前記要求を拒否するための手段と、
非メンバーの前記現在の数が前記パラメータ未満であるとき、前記モバイルデバイスを承認するための手段と
をさらに備える、請求項３６に記載の装置。
【請求項３８】
少なくとも１つのコンピュータに、モバイルデバイスから接続を確立したいという要求を受信させるためのコードと、
前記少なくとも１つのコンピュータに、前記モバイルデバイスが、ホーム基地局に関連付けられた限定加入者グループのメンバーまたは非メンバーのいずれであるのかを識別させるためのコードと、
前記少なくとも１つのコンピュータに、パラメータに少なくとも部分的に基づいて前記モバイルデバイスを承認すべきか拒否すべきかを決定させるためのコードであって、前記パラメータが、同時非メンバーユーザの最大数を指定する、決定させるためのコードと、
前記少なくとも１つのコンピュータに、同時非メンバーユーザの数が前記パラメータによって指定された前記最大数にいつ達するかを識別させるためのコードと、
前記少なくとも１つのコンピュータに、少なくとも１つの同時非メンバーユーザについてハンドオーバを開始させるためのコードと
を備える、コンピュータプログラム。
【請求項３９】
前記少なくとも１つのコンピュータに、前記ホーム基地局に接続された非メンバーの現在の数を決定させるためのコードと、
前記少なくとも１つのコンピュータに、非メンバーの前記現在の数を前記パラメータと比較させるためのコードと、
前記少なくとも１つのコンピュータに、非メンバーの前記現在の数が前記パラメータ以上であるとき、前記要求を拒否させるためのコードと、
前記少なくとも１つのコンピュータに、非メンバーの前記現在の数が前記パラメータ未満であるとき、前記モバイルデバイスを承認させるためのコードと
をさらに備える、請求項３８に記載のコンピュータプログラム。
【請求項４０】
モバイルデバイスが限定加入者グループのメンバーまたは非メンバーのいずれであるのかを決定する識別モジュールと、
前記モバイルデバイスが前記限定加入者グループの非メンバーであるとき、パラメータに基づいて前記モバイルデバイスとの接続を確立すべきかどうかを決定するアクセス制御モジュールであって、前記パラメータが、前記装置にアクセスすることが許された同時非メンバーの最大数を指定する、アクセス制御モジュールと、
同時非メンバーユーザの数が前記パラメータによって指定された前記最大数にいつ達するかを識別するモジュールと、
少なくとも１つの同時非メンバーユーザについてハンドオーバを開始するモジュールと
を備える、装置。
【請求項４１】
前記識別モジュールが、前記モバイルデバイスに関連付けられた識別情報を取得し、前記識別情報をアクセスリストに問い合わせる、請求項４０に記載の装置。
【請求項４２】
前記装置と複数のモバイルデバイスとの間の現在の接続を監視し、それらの接続にそれぞれ関連したモバイルデバイスが前記限定加入者グループのメンバーであるのか非メンバーであるのかに関するインジケーションとともに現在の接続を列挙する現在のユーザリストを維持する、モニタモジュールであって、
前記アクセス制御モジュールが、アクセス制御決定を実施するために、前記パラメータを考慮して前記現在のユーザリストを分析する、モニタモジュール
をさらに備える、請求項４０に記載の装置。
【発明の詳細な説明】
【優先権の主張】
【０００１】
本特許出願は、２００９年１０月２８日に出願された「ホーム無線アクセスネットワークにおける非Ｃｓｇメンバーに対するネットワーク制御されたリソース割当て（Network Controlled Resource Allocation To Non-Csg Members In Home Radio Access Networks）」と題する米国仮出願第６１／２５５，６９４号、および２００９年１０月２９日に出願された「ホーム無線アクセスネットワークにおける非ＣＳＧメンバーに対するネットワーク制御されたリソース割当て（Network Controlled Resource Allocation To Non-CSG Members In Home Radio Access Networks）」と題する米国仮出願第６１／２５６，１１８号の優先権を主張する。上述の米国仮出願は、本出願の譲受人に譲渡され、その全体が参照により本明細書に明確に組み込まれる。
【技術分野】
【０００２】
以下の説明は、一般にワイヤレス通信システムに関し、より詳細には、フェムトアクセスポイントのためのリソース管理および承認制御に関する。
【背景技術】
【０００３】
ワイヤレス通信システムは、音声およびデータなど、様々なタイプの通信コンテンツを提供するために広く展開されている。典型的なワイヤレス通信システムは、利用可能なシステムリソース（たとえば、帯域幅、時間、送信電力、．．．）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含み得る。さらに、これらのシステムは、第３世代パートナーシッププロジェクト（３ＧＰＰ：Third Generation Partnership Project）、３ＧＰＰ２、高速パケットアクセス（ＨＳＰＡ）、高速ダウンリンクパケットアクセス（ＨＳＤＰＡ）、高速アップリンクパケットアクセス（ＨＳＵＰＡ）、３ＧＰＰロングタームエボリューション（ＬＴＥ：long-term evolution）、ＬＴＥアドバンスト（ＬＴＥ−Ａ）などの仕様に準拠することができる。
【０００４】
一般に、ワイヤレス多元接続通信システムは、複数のモバイルデバイスのための通信を同時にサポートし得る。各モバイルデバイスは、順方向リンクおよび逆方向リンク上の伝送を通じて１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。ワイヤレス通信システムは、システム内のそれぞれのロケーションにカバレージを提供できる、一連のワイヤレスアクセスポイントを含むように構成され得る。そのようなネットワーク構造は、一般にセルラーネットワーク構造と呼ばれ、アクセスポイントおよび／またはそれらがネットワーク中でそれぞれサービスするロケーションは、一般にセルと呼ばれる。
【０００５】
現在展開されている携帯電話ネットワークに加えて、ユーザの家に設置されることができ、既存のブロードバンドインターネット接続を使用してモバイルユニットに屋内ワイヤレスカバレージを提供できる、新しいクラスの小さい基地局が出現した。そのようなパーソナル小型基地局は、一般に、アクセスポイント基地局、あるいは代替的に、ホームノードＢ（ＨＮＢ）、ホームｅノードＢ（ＨｅＮＢ）またはフェムトセルとして知られている。典型的には、そのような小型基地局は、デジタル加入者回線（ＤＳＬ）ルータ、ケーブルモデムなどを通じて、インターネットおよびモバイル事業者のネットワークに接続される。
【０００６】
フェムトセルは、限定加入者グループ（ＣＳＧ：closed subscriber group）内のモバイルデバイスのみがフェムトセルからのサービスにアクセスするおよび／またはフェムトセルからのサービスを手に入れることができるように、ＣＳＧに関連付けられることができる。しかしながら、それでも、フェムトセルは、オープンモード、クローズドモード、またはハイブリッドモードで動作するように構成され得る。オープンモードでは、フェムトセルは、フェムトセルにアクセスすることが可能なモバイルデバイスへのアクセスを可能にするように構成される。クローズドモードでは、フェムトセルは、ＣＳＧ中に含まれるモバイルデバイスのみにサービスする。ハイブリッドモードでは、フェムトセルは、メンバーモバイルデバイス（たとえば、ＣＳＧ内のモバイル）と非メンバーモバイルデバイスとにサービスを提供する。一般に、フェムトセルは、ハイブリッドモードで動作する間、非メンバーモバイルデバイスよりもメンバーモバイルデバイスを優先する。
【発明の概要】
【０００７】
以下で、１つまたは複数の実施形態の基本的な理解を与えるために、そのような実施形態の簡略化された概要を提示する。この概要は、企図されるすべての実施形態の包括的な概観ではなく、すべての実施形態の主要または重要な要素を特定するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【０００８】
１つまたは複数の実施形態およびそれらの対応する開示に従って、様々な態様について、ホームアクセスポイントに関連付けられた限定加入者グループの非メンバーに対してリソース管理および承認制御を容易にすることに関して説明する。パラメータのセットが、ホームアクセスポイントにプロビジョニングされることができ、パラメータの該セットは、アクセスモード、同時非メンバーの最大数、および／または非メンバーに割当て可能なリソースの最大量を指定する。ホームアクセスポイントは、パラメータのセットを考慮してリソーススケジューリングおよび／またはアクセス制御を実施することができる。
【０００９】
第１の態様によれば、ハイブリッドアクセスモードで動作するホーム基地局のためのリソースをスケジュールするための方法が記載される。該方法は、ホーム基地局に接続されたモバイルデバイスが、ホーム基地局に関連付けられた限定加入者グループのメンバーであるのか非メンバーであるのかを識別することを含むことができる。さらに、該方法は、モバイルデバイスが非メンバーであるとき、パラメータに従ってモバイルデバイスにデータ伝送のためのリソースを割り当てることを含むことができ、パラメータは、限定加入者グループの非メンバーに提供すべきリソースのレベルを示す。
【００１０】
別の態様は、ワイヤレス通信装置に関する。該ワイヤレス通信装置は、ワイヤレス通信装置に接続されたモバイルデバイスが限定加入者グループのメンバーであるのか非メンバーであるのかを識別するように構成された少なくとも１つのプロセッサを含むことができる。さらに、該少なくとも１つのプロセッサは、モバイルデバイスが非メンバーであるとき、パラメータに従ってモバイルデバイスにデータ伝送のためのリソースを割り当てるようにさらに構成され、パラメータは、限定加入者グループの非メンバーに提供すべきリソースのレベルを示す。
【００１１】
さらに別の態様は、装置に接続されたモバイルデバイスが限定加入者グループのメンバーであるのか非メンバーであるのかを識別するための手段を含むことができる装置に関する。さらに、該装置は、モバイルデバイスが非メンバーであるときにパラメータに従ってモバイルデバイスにデータ伝送のためのリソースを割り当てるための手段をさらに含むことができ、パラメータは、限定加入者グループの非メンバーに提供すべきリソースのレベルを示す。
【００１２】
さらに別の態様は、コンピュータ可読媒体を備えることができるコンピュータプログラム製品に関する。該コンピュータ可読媒体は、少なくとも１つのコンピュータに、ホーム基地局に接続されたモバイルデバイスが、ホーム基地局に関連付けられた限定加入者グループのメンバーであるのか非メンバーであるのかを識別させるためのコードを含むことができる。さらに、該コンピュータ可読媒体は、少なくとも１つのコンピュータに、モバイルデバイスが非メンバーであるとき、パラメータに従ってモバイルデバイスにデータ伝送のためのリソースを割り当てさせるためのコードを含むことができ、パラメータは、限定加入者グループの非メンバーに提供すべきリソースのレベルを示す。
【００１３】
別の態様によれば、装置が説明される。該装置は、モバイルデバイスが限定加入者グループのメンバーまたは非メンバーのいずれであるのかを決定する識別モジュールを含むことができる。該装置は、モバイルデバイスにリソースを割り当てるスケジューラをさらに含むことができる。さらに、該装置は、モバイルデバイスが限定加入者グループの非メンバーであるとき、パラメータに従って、モバイルデバイスに割り当てられるリソースの量を制限するリソース制御モジュールを含むことができる。
【００１４】
別の態様によれば、ホーム基地局へのアクセスを管理するための方法が記載される。該方法は、モバイルデバイスから接続を確立したいという要求を受信することを含むことができる。該方法は、モバイルデバイスが、ホーム基地局に関連付けられた限定加入者グループのメンバーまたは非メンバーのいずれであるのかを識別することをさらに含むことができる。さらに、該方法は、パラメータに少なくとも部分的に基づいてモバイルデバイスを承認すべきか拒否すべきかを決定することを含むことができ、パラメータは、同時非メンバーユーザの最大数を指定する。
【００１５】
別の態様は、ワイヤレス通信装置に関する。該ワイヤレス通信装置は、モバイルデバイスから接続を確立したいという要求を受信するように構成された少なくとも１つのプロセッサを含むことができる。少なくとも１つのプロセッサは、モバイルデバイスが、ワイヤレス通信装置に関連付けられた限定加入者グループのメンバーまたは非メンバーのいずれであるのかを識別するようにさらに構成され得る。さらに、少なくとも１つのプロセッサは、パラメータに少なくとも部分的に基づいてモバイルデバイスを承認すべきか拒否すべきかを決定するように構成されることができ、パラメータは、同時非メンバーユーザの最大数を指定する。
【００１６】
さらに別の態様は、モバイルデバイスから接続を確立したいという要求を受信するための手段を含むことができる装置に関する。該装置は、モバイルデバイスが、該装置に関連付けられた限定加入者グループのメンバーまたは非メンバーのいずれであるのかを識別するための手段をさらに含むことができる。さらに、該装置は、パラメータに少なくとも部分的に基づいてモバイルデバイスを承認すべきか拒否すべきかを決定するための手段を含むことができ、パラメータは、同時非メンバーユーザの最大数を指定する。
【００１７】
さらに別の態様は、コンピュータ可読媒体を備えることができるコンピュータプログラム製品に関する。該コンピュータ可読媒体は、少なくとも１つのコンピュータに、モバイルデバイスから接続を確立したいという要求を受信させるためのコードを含むことができる。該コンピュータ可読媒体は、少なくとも１つのコンピュータに、モバイルデバイスが、ホーム基地局に関連付けられた限定加入者グループのメンバーまたは非メンバーのいずれであるのかを識別させるためのコードを含むことができる。さらに、該コンピュータ可読媒体は、少なくとも１つのコンピュータに、パラメータに少なくとも部分的に基づいてモバイルデバイスを承認すべきか拒否すべきかを決定させるためのコードを含むことができ、パラメータは、同時非メンバーユーザの最大数を指定する。
【００１８】
別の態様によれば、装置が記載される。該装置は、モバイルデバイスが限定加入者グループのメンバーまたは非メンバーのいずれであるのかを決定する識別モジュールを含むことができる。さらに、該装置は、モバイルデバイスが限定加入者グループの非メンバーであるとき、パラメータに基づいてモバイルデバイスとの接続を確立すべきかどうかを決定するアクセス制御モジュールを含むことができる。
【００１９】
上記および関連する目的を達成するために、１つまたは複数の実施形態は、以下で詳細に説明し、特許請求の範囲で特に指摘する特徴を備える。以下の説明および添付の図面に、１つまたは複数の実施形態のいくつかの例示的な態様を詳細に記載する。ただし、これらの態様は、様々な実施形態の原理が採用され得る様々な方法のうちのほんのいくつかを示すものであり、説明する実施形態は、すべてのそのような態様およびそれらの均等物を含むものとする。
【図面の簡単な説明】
【００２０】
【図１】様々な態様による、ハイブリッドモード動作中に限定加入者グループ（ＣＳＧ）のメンバーおよび非メンバーに同時にサービスすることを容易にする例示的なワイヤレス通信システムを示す図。
【図２】様々な態様による、フェムトアクセスポイントによって採用され得る例示的なデータモデルの図。
【図３】様々な態様による、ＵＥを限定加入者グループのメンバーまたは非メンバーとして識別することを容易にする例示的なシステムの図。
【図４】様々な態様による、ＣＳＧの非メンバーに対してアクセスを制限することを容易にする例示的なシステムを示す図。
【図５】様々な態様による、ＣＳＧの非メンバーのためのリソースの管理を容易にする例示的なシステムを示す図。
【図６】メンバーシップステータスに従ってリソースを管理するための例示的な方法の図。
【図７】限定加入者グループの非メンバーであるユーザのグループをスケジュールするための例示的な方法の図。
【図８】ＣＳＧ中に含まれないモバイルデバイスからのスケジューリング要求を処理するための例示的な方法の図。
【図９】リソース管理パラメータに基づいて、ＣＳＧのメンバーではないモバイルデバイスからの接続要求を処理するための例示的な方法の図。
【図１０】リソース管理を容易にするためにハンドオーバを採用するための例示的な方法の図。
【図１１】ハイブリッドモードで動作するホーム基地局のための承認制御のための例示的な方法の図。
【図１２】様々な態様による、ハイブリッドアクセスモードで動作するホーム基地局のためのリソース管理を容易にする例示的な装置の図。
【図１３】様々な態様による、ハイブリッドアクセスモードで動作するホーム基地局のための承認制御を容易にする例示的な装置の図。
【図１４】本明細書で説明する機能の様々な態様を実装するために利用され得るワイヤレス通信デバイスのブロック図。
【図１５】本明細書で説明する機能の様々な態様を実装するために利用され得るワイヤレス通信デバイスのブロック図。
【図１６】様々な態様による、例示的なワイヤレス通信システムを示す図。
【図１７】ワイヤレスネットワーク環境内でアクセスポイント基地局の展開を可能にするための例示的なシステムを示す図。
【図１８】追跡エリアを含む例示的なカバレージマップを示す図。
【図１９】本明細書で述べる様々な態様によるワイヤレス通信システムを示す図。
【図２０】本明細書で説明する様々な態様がそこにおいて機能できる、例示的なワイヤレス通信システムを示すブロック図。
【詳細な説明】
【００２１】
次に、図面を参照しながら様々な実施形態について説明する。図面全体にわたって、同様の要素を指すのに同様の参照符号を使用する。以下の記述では、説明の目的で、１つまたは複数の実施形態の完全な理解を与えるために多数の具体的な詳細を記載する。ただし、そのような（１つまたは複数の）実施形態は、これらの具体的な詳細なしに実施され得ることは明らかであろう。他の例では、１つまたは複数の実施形態の説明を円滑にするために、よく知られている構造およびデバイスをブロック図の形態で示す。
【００２２】
本出願で使用する「コンポーネント」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、コンポーネントは、プロセッサ上で実行されるプロセス、プロセッサ、オブジェクト、実行可能ファイル、実行スレッド、プログラム、および／またはコンピュータであることができるが、これらに限定されない。例として、コンピューティングデバイス上で実行されるアプリケーションとコンピューティングデバイスとの両方が、コンポーネントであることができる。１つまたは複数のコンポーネントが、ある１つのプロセスおよび／または実行スレッド内に存在することができ、ある１つのコンポーネントが、１つのコンピュータ上に位置することができ、および／または２つ以上のコンピュータ間に分散されることができる。さらに、これらのコンポーネントは、様々なデータ構造を記憶している様々なコンピュータ可読媒体から実行することができる。これらのコンポーネントは、１つまたは複数のデータパケット（たとえば、ローカルシステム内、分散システム内、および／または他のシステムを用いるインターネットなどのネットワーク全体の中の別のコンポーネントと信号を用いて相互作用する１つのコンポーネントからのデータ）を有する信号によるなど、ローカルおよび／またはリモートプロセスを用いて通信することができる。
【００２３】
さらに、本明細書では様々な態様についてワイヤレス端末および／または基地局に関して説明する。ワイヤレス端末は、ユーザにボイスおよび／またはデータ接続性を提供するデバイスを指すことができる。ワイヤレス端末は、ラップトップコンピュータまたはデスクトップコンピュータなどのコンピューティングデバイスに接続されることができ、あるいは携帯情報端末（ＰＤＡ）などの自蔵式デバイスであることができる。ワイヤレス端末は、また、システム、加入者ユニット、加入者局、移動局、モバイル、リモート局、アクセスポイント、リモート端末、アクセス端末、ユーザ端末、ユーザエージェント、ユーザデバイス、またはユーザ機器（ＵＥ）と呼ばれることがある。ワイヤレス端末は、加入者局、ワイヤレスデバイス、セルラー電話、ＰＣＳ電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された他の処理デバイスであることができる。基地局（たとえば、アクセスポイント、ノードＢ、または発展型ノードＢ（ｅＮＢ））は、１つまたは複数のセクタを通して、エアインターフェースを通じてワイヤレス端末と通信する、アクセスネットワーク中のデバイスを指すことができる。基地局は、受信したエアインターフェースフレームをインターネットプロトコル（ＩＰ）パケットに変換することによって、ワイヤレス端末と、ＩＰネットワークを含むことができるアクセスネットワークの残部との間のルータとして働くことができる。基地局はまた、エアインターフェースに関する属性の管理を調整する。
【００２４】
コンピューティングデバイスには、通常、様々な媒体が含まれ、それらの媒体には、コンピュータ可読記憶媒体および／または通信媒体を含めることができ、それら２つの用語は、本明細書では以下のように互いに異なって使用される。コンピュータ可読記憶媒体は、コンピュータによってアクセスされ得る任意の利用可能な記憶媒体であることができ、揮発性媒体および不揮発性媒体、取外し可能媒体および取外し不能媒体の両方を含む。限定ではなく例として、コンピュータ可読記憶媒体は、コンピュータ可読命令、プログラムモジュール、構造化データ、または非構造化データなど、情報を格納するための任意の方法または技術に関連して実装されることができる。コンピュータ可読記憶媒体は、限定はしないが、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光ディスクストレージ、磁気カセット、磁気テープ、磁気ディスクストレージまたは他の磁気ストレージデバイス、あるいは所望の情報を記憶するために使用され得る他の有形および／または非一時的媒体を含むことができる。コンピュータ可読記憶媒体は、媒体によって記憶された情報に対する様々な動作のために、たとえば、アクセス要求、クエリまたは他のデータ検索プロトコルを通じて、１つまたは複数のローカルまたはリモートコンピューティングデバイスによってアクセスされることができる。
【００２５】
通信媒体は、通常、コンピュータ可読命令、データ構造、プログラムモジュール、あるいは被変調データ信号などのデータ信号、たとえば、搬送波または他のトランスポート機構中の他の構造化または非構造化データを組み込み、任意の情報配送または移送媒体を含む。「被変調データ信号」または信号という用語は、その特性のうちの１つまたは複数が、１つまたは複数の信号中の情報を符号化するような方式で設定または変更された、信号を指す。限定ではなく、例として、通信媒体は、ワイヤードネットワークまたはダイレクトワイヤード接続などのワイヤード媒体と、音響、ＲＦ、赤外線および他のワイヤレス媒体などのワイヤレス媒体とを含む。
【００２６】
本明細書で説明する様々な技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）システム、および他のそのようなシステムなど、様々なワイヤレス通信システムに使用され得る。「システム」および「ネットワーク」という用語は、本明細書ではしばしば互換的に使用される。ＣＤＭＡシステムは、ユニバーサル地上無線アクセス（ＵＴＲＡ：Universal Terrestrial Radio Access）、ＣＤＭＡ２０００、高速パケットアクセス（ＨＳＰＡ）、高速ダウンリンクパケットアクセス（ＨＳＤＰＡ）、高速アップリンクパケットアクセス（ＨＳＵＰＡ）などの無線技術を実装することができる。ＵＴＲＡは、広帯域ＣＤＭＡ（Ｗ−ＣＤＭＡ）およびＣＤＭＡの他の変形態を含む。さらに、ＣＤＭＡ２０００は、ＩＳ−２０００、ＩＳ−９５およびＩＳ−８５６規格をカバーする。ＴＤＭＡシステムは、モバイル通信用グローバルシステム（ＧＳＭ（登録商標）：Global System for Mobile Communications）などの無線技術を実装することができる。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）は、ダウンリンク上ではＯＦＤＭＡを採用し、アップリンク上ではＳＣ−ＦＤＭＡを採用する、Ｅ−ＵＴＲＡを用いたこれから登場するリリースである。ＨＳＰＡ、ＨＳＤＰＡ、ＨＳＵＰＡ、ＵＴＲＡ、Ｅ−ＵＴＲＡ、ＵＭＴＳ、ＬＴＥ、ＬＴＥ−Ａ、ＳＡＥ、ＥＰＣ、およびＧＳＭは、「第３世代パートナーシッププロジェクト（3rd Generation Partnership Project）」（３ＧＰＰ）という名称の団体からの文書に記載されている。さらに、ＣＤＭＡ２０００およびＵＭＢは、「第３世代パートナーシッププロジェクト２（3rd Generation Partnership Project 2）」（３ＧＰＰ２）と称する団体からの文書に記載されている。さらに、そのようなワイヤレス通信システムは、不対アンライセンススペクトル、８０２．ｘｘワイヤレスＬＡＮ、ＢＬＵＥＴＯＯＴＨ（登録商標）および任意の他の短距離または長距離ワイヤレス通信技法をしばしば使用する、ピアツーピア（たとえば、モバイルツーモバイル）アドホックネットワークシステムをさらに含むことができる。明瞭のために、ＷＣＤＭＡ、ＨＳＰＡ、ＨＳＤＰＡ、およびＨＳＵＰＡに関連する用語が以下の説明において採用される。しかしながら、本明細書に添付される特許請求の範囲は、明確に限定されない限り、ＷＣＤＭＡ、ＨＳＰＡ、ＨＳＤＰＡ、およびＨＳＵＰＡだけに限定されないことを諒解されたい。
【００２７】
さらに、「または」という用語は、排他的な「または」ではなく、包括的な「または」を意味することが意図されている。すなわち、特に指定されない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本願および添付の特許請求の範囲で使用する冠詞「ａ」および「ａｎ」は、特に指定されない限り、または単数形を示すことが文脈から明白でない限り、概して「１つまたは複数」を意味するものと解釈すべきである。
【００２８】
様々な態様が、いくつかのデバイス、コンポーネント、モジュールなどを含むことができるシステムに関して提示される。様々なシステムは、追加のデバイス、コンポーネント、モジュールなどを含むことができ、および／または、図に関連して論じるデバイス、コンポーネント、モジュールなどのすべてを必ずしも含まないことを理解および諒解されたい。これらの手法の組合せも使用され得る。
【００２９】
次に図面を参照すると、図１は、フェムトセルのハイブリッドモード動作中に限定加入者グループ（ＣＳＧ）のメンバーおよび非メンバーに同時にサービスすることを容易にする例示的なワイヤレス通信システム１００を示す。ワイヤレス通信システム１００は、基地局１１０と、第１のまたはメンバーのユーザ機器（ＵＥ）１２０と、第２のまたは非メンバーのＵＥ１３０とを含む。基地局１１０は、それぞれのアップリンクチャネルおよび／またはダウンリンクチャネルを通じてＵＥ１２０および１３０とワイヤレスに通信することができる。説明を容易にするために、図１にはただ１つの基地局（たとえば、基地局１１０）と２つのＵＥ（たとえば、ＵＥ１２０および１３０）とが示されているが、システム１００は、任意の数のＵＥおよび／または基地局を含むことができることを諒解されたい。
【００３０】
基地局１１０は、一態様では、アクセスポイント、アクセスノード、ノードＢ（ＮＢ：NodeB）、発展型ノードＢ（ｅＮＢ：evolved NodeB）、ホームノードＢ（ＨＮＢ：home NodeB）、またはホームｅノードＢ（ＨｅＮＢ：home eNodeB）であることができ、および／または互換的に、アクセスポイント、アクセスノード、ホームアクセスポイント、ホームアクセスノード、ホーム基地局などと呼ばれ得る。さらに、基地局１１０は、様々な電力クラスのうちの１つを有する基地局であることができる。たとえば、基地局１１０は、マクロ基地局、フェムト基地局、ピコ基地局などであることができる。一例では、マクロ基地局は、一般に、近隣、都市、地域など、より広い地理的エリアをカバーするように動作する。たとえば、マクロ基地局は、サイズが１キロメートルから１００キロメートルにわたるマクロセルに関連付けられることができる。フェムト基地局および／またはピコ基地局は、建物や家屋など、より小さいエリア（たとえば、フェムトセルまたはピコセル）にわたってワイヤレス通信サービスを提供することができる。
【００３１】
さらに、ＵＥ１２０およびＵＥ１３０は、モバイルデバイス、モバイル端末、移動局、局、ワイヤレス端末などと呼ばれ得る。さらに、システム１００は、３ＧＰＰ  ＬＴＥまたはＬＴＥ−Ａワイヤレスネットワーク、ＷＣＤＭＡワイヤレスネットワーク、ＯＦＤＭＡワイヤレスネットワーク、ＣＤＭＡネットワーク、３ＧＰＰ  ＬＴＥまたはＬＴＥ−Ａワイヤレスネットワーク、３ＧＰＰ２  ＣＤＭＡ２０００ネットワーク、ＥＶ−ＤＯネットワーク、ＷｉＭＡＸネットワーク、ＨＳＰＡネットワークなどにおいて動作できることを諒解されたい。以下に記載する諸態様は、ＬＴＥネットワークおよび／またはＬＴＥ無線アクセス技術に関してＬＴＥ用語を用いて説明されるが、本明細書で説明する技法は、上記のネットワーク内、ならびに他のワイヤレスネットワークおよび／または無線アクセス技術中でも利用され得ることを諒解されたい。
【００３２】
本開示の一態様によれば、基地局１１０は、フェムトセルに関連付けられることができる（たとえば、基地局１１０は、ＨｅＮＢ、ＨＮＢ、ホーム基地局、または他の小規模（フェムト）アクセスポイントを備える）。基地局１１０は、基地局１１０の効率的な設定および展開を容易にするために標準的なフェムトアクセスポイントデータモデルを実装することができる。データモデルは、フェムトアクセスポイントの動作を規定する複数の制御および設定パラメータを編成し、カテゴライズする。基地局１１０を提供するモバイル事業者は、ＨＮＢ管理システム（ＨＭＳ：HNB management system）などの管理システムを介してデータモデルに従ってパラメータをプロビジョニングすることができる。
【００３３】
図２は、一態様による、基地局１１０によって利用され得る例示的なデータモデル２００を示す。データモデル２００は一例であり、基地局１１０は、代替的なデータモデルを採用できることを諒解されたい。図２に示すように、複数のトップレベルグループ（たとえば、Ｃａｐａｂｉｌｉｔｉｅｓ、ＦａｐＣｏｎｔｒｏｌ、ＣｅｌｌＣｏｎｆｉｇ、Ｔｒａｎｓｐｏｒｔ、．．．）が複数の区分へと大まかに関連付けられ得る。たとえば、Ｃａｐａｂｉｌｉｔｉｅｓ、ＦａｐＣｏｎｔｒｏｌ、およびＡｃｃｅｓｓＭａｎａｇｅｍｅｎｔグループは、Ｃｏｎｔｒｏｌの下に関連付けられ、ＣｅｌｌＣｏｎｆｉｇおよびＴｒａｎｓｐｏｒｔグループは、Ｃｏｎｆｉｇｕｒａｔｉｏｎの下に関連付けられる。一例では、トップレベルグループは複数のサブグループを含むことができ、さらに、各サブグループは追加レベルを含むことができる。図２は、データモデルの階層的な性質を強調するためにデータモデル２００のいくつかのグループとサブグループとを示すが、データモデル２００に追加のレベルを組み込むことができることを諒解されたい。別の例では、データモデル２００は、異種無線インターフェース技術に対応するパラメータに適応することができる。たとえば、データモデル２００は、技術の相違により必要なときには、特定の無線インターフェース技術にユニークなパラメータを別々に編成するために、異なるサブグループまたはサブセクションを含むことができる。図２に示すように、いくつかのトップレベルグループは、ＵＭＴＳサブグループとＬＴＥサブグループとを含み、これらのグループは、それぞれＵＭＴＳおよびＬＴＥに対応するパラメータを含む。データモデル２００は、図２に示すデータモデルを超えて拡張できることを諒解されたい。
【００３４】
図１に戻ると、基地局１１０は、フェムト基地局として、限定はしないが、オープンモード、クローズドモード、またはハイブリッドモードのような様々なアクセスモードで動作するように構成され得る。オープンモードでは、基地局１１０は、ＣＳＧメンバーシップに基づくアクセス制限を課さない。したがって、基地局１１０に関連付けられたＣＳＧのメンバーであるメンバーＵＥ１２０と、ＣＳＧのメンバーではない非メンバーＵＥ１３０とは、両方ともに基地局１１０にアクセスすることができる。クローズドモードでは、基地局１１０は、ＣＳＧのメンバーであるＵＥのみがアクセスを許されるようなクローズドセルとして動作する。ハイブリッドモードでは、ＣＳＧメンバーシップが課されるが、非メンバーＵＥはアクセスを許可される。
【００３５】
ハイブリッドモードで動作する間、基地局１１０は、比較的少数の非ＣＳＧユーザに対してアクセスを制限する、および／または非ＣＳＧユーザに許可されるリソースの量を制限することができる。一態様では、基地局１１０は、ＵＥアクセスを管理するアクセス制御モジュール１１２を含むことができる。一例によれば、アクセス制御モジュール１１２は、ＵＥのメンバーシップステータスおよび／または基地局１１０に接続された非メンバーＵＥの現在の数に基づいてＵＥからのアクセス要求を許可または拒否することができる。たとえば、基地局１１０は、メンバーＵＥ１２０からアクセス要求（たとえば、ランダムアクセス試行、登録要求、スケジューリング要求など）を受信し得る。メンバーＵＥ１２０が基地局１１０に関連付けられたＣＳＧ中に含まれるので、アクセス制御モジュール１１２は、アクセスを許可する。基地局１１０は、また、非メンバーＵＥ１３０からもアクセス要求を受信し得る。非メンバーＵＥ１３０はＣＳＧ中に含まれないので、アクセス制御モジュール１１２は、非メンバー１３０へのアクセスを拒否することを決定することができる。一態様では、アクセス制御モジュール１１２は、接続された非メンバーＵＥの現在の数が最大であるときには、非メンバーＵＥ１３０へのアクセスを拒否する。
【００３６】
別の態様では、基地局１１０は、非ＣＳＧユーザへのリソース割当てを管理するリソース制御モジュール１１４を含むことができる。一例では、非メンバーＵＥ１３０とメンバーＵＥ１２０とは、基地局１１０に接続される。ＵＥは、受信すべきデータ（たとえば、基地局１１０によって送信されたダウンリンクデータ）および／または送信すべきデータ（たとえば、基地局１１０によって受信されるべきアップリンクデータ）を有することができる。基地局１１０は、スケジューラ（図示せず）によって実施されるスケジューリングアルゴリズムに従ってダウンリンクおよびアップリンク上でＵＥをスケジュールする。メンバーＵＥ１２０については、基地局１１０は、典型的なワイヤレス通信システム中で発生する制限（たとえば、システム帯域幅、サービス品質、利用可能なリソース、データ量など）を超える追加の制限なしにリソースを割り当てることができる。非メンバーＵＥ１３０については、基地局１１０がハイブリッドアクセスモードで動作する間、リソースをスケジュールするときに追加の制限が生じ得る。たとえば、リソース制御モジュール１１４は、非メンバー（たとえば、ＵＥ１３０）が前述の限度内でリソースを割り当てられるようにスケジューリング制限を課すことができる。
【００３７】
さらなる態様によれば、基地局１１０は、パラメータのセット１１６を含む。パラメータのセット１１６は、ＣＳＧの非メンバーによる基地局１１０へのアクセスを制御し、非メンバーに提供されるサービスのレベルを制御する、パラメータを備えることができる。パラメータのセット１１６は、データモデル２００中に含まれるパラメータの一部分またはサブセットとすることができる。たとえば、パラメータのセット１１６は、データモデル２００のＡｃｃｅｓｓＭａｎａｇｅｍｅｎｔグループ中に含まれるパラメータを含むことができる。特に、パラメータのセット１１６は、アクセスモードパラメータ（たとえば、データモデル２００中のＡｃｃｅｓｓＭｏｄｅ）、最大同時ＣＳＧユーザパラメータ（たとえば、ＭａｘＣｏｎｃｕｒｒｅｎｔＣＳＧＵｓｅｒｓ）、最大同時非ＣＳＧユーザパラメータ（たとえば、ＭａｘＮｏｎＣＳＧＵｓｅｒｓ）、非ＣＳＧユーザのための最大リソースレベルパラメータ（たとえば、ＭａｘＲｅｓｏｕｒｃｅＮｏｎＣＳＧＵｓｅｒｓ）などを含むことができる。アクセス制御モード１１２とリソース制御モジュール１１４とは、上記で説明したように、パラメータのセット１１６に基づいてアクセス決定および／またはスケジューリング決定に影響を及ぼすことができる。
【００３８】
システム１００においてさらに示すように、基地局１１０は、アクセス制御モジュール１１２の機能、リソース制御モジュール１１４の機能、および／または本明細書で説明する基地局１１０の他の機能もしくはモジュールの一部またはすべてを実施するために利用されることのできる、プロセッサ１１７および／またはメモリ１１９を含むことができる。さらに、メモリ１１９は、パラメータのセット１１６および／またはデータモデル２００を保持することができる。
【００３９】
図３を参照すると、ＵＥを、限定加入者グループ（ＣＳＧ）のメンバーまたは非メンバーとして識別することを容易にするシステム３００が例示されている。システム３００は、前の図に関して上記で説明したように、基地局１１０と、メンバーＵＥ１２０と、非メンバーＵＥ１３０とを含むことができる。
【００４０】
別の態様によれば、メンバーＵＥ１２０および非メンバーＵＥ１３０は、それぞれの識別情報（identity）、すなわち、識別情報３２２および識別情報３３２を含むことができる。識別情報３２２および３３２は、メンバーＵＥ１２０および非メンバーＵＥ１３０にそれぞれ関連付けられたユニークな識別子（identifier）へと符号化されることができる。識別情報３２２および３３２を搬送するユニークな識別子は、ネットワーク事業者および／または製造業者によって割り当てられる、またはプロビジョニングされることができる。ユニークな識別子は様々な形式のうちの１つを採用できることを諒解されたい。例として、ユニークな各識別子は、ネットワークアクセス識別子（ＮＡＩ：network access identifier）または移動局総合サービスデジタルネットワーク（ＭＳ  ＩＳＤＮ：mobile station integrated services digital network）番号であることができる。さらに、ユニークな識別子は、加入者識別モジュール（ＳＩＭ：subscriber identity module）に記憶された国際モバイル加入者識別情報（ＩＭＳＩ：international mobile subscriber identity）などの加入者識別情報であることができる。ただし、ユニークな識別子がモバイルデバイスを区別するために使用されることができるのであれば、そのユニークな識別子は、任意の構造に従うことができることを諒解されたい。さらに、識別情報３２２および３３２は、基地局１１０に関連付けられたネットワーク内でユニークであることができ、特定の地理的エリア内でユニークであることができ、および／またはグローバルにユニークであることができる。
【００４１】
取得および基地局１１０への登録の一部として、ＵＥ１２０および１３０は、それぞれ識別情報３２２および３３２を搬送することができる。基地局１１０は、識別情報３２２および３３２に少なくとも部分的に基づいてＵＥ１２０および１３０がＣＳＧのメンバーであるかどうかを決定する識別モジュール３１２を含むことができる。識別モジュール３１２は、それぞれＵＥ１２０および１３０からユニークな識別子として送信される識別情報３２２および３３２を取得する。識別モジュール３１２は、アクセスリスト３１４を使用して、ＵＥをＣＳＧのメンバーとして識別することができる。アクセスリスト３１４は、基地局１１０に関連付けられたＣＳＧ内のＵＥの識別情報を列挙する。識別モジュール３１２は、特定の識別情報がリスト中に含まれるかどうか、したがって、それらに関連付けられたＵＥがＣＳＧのメンバーであるかどうかを決定するために、アクセスリスト３１４に問い合わせることができる。
【００４２】
たとえば、メンバーＵＥ１２０は、基地局１１０に登録メッセージを送信することができ、登録メッセージは、識別情報３２２を符号化するユニークな識別子を含む。識別モジュール３１２は、ユニークな識別子および／または登録メッセージから識別情報３２２を取得または導出し、取得された識別情報３２２を使用してアクセスリスト３１４に問い合わせることができる。マッチまたはヒットが発生する（たとえば、識別情報３２２がアクセスリスト３１４に含まれる）場合、識別モジュール３１２は、メンバーＵＥ１２０がＣＳＧのメンバーであると決定する。別の例では、非メンバーＵＥ１３０は、基地局１１０に登録メッセージを送信することができ、登録メッセージは、識別情報３３２を搬送するユニークな識別子を含む。識別モジュール３１２は、ユニークな識別子および／または送信された登録メッセージから識別情報３３２を取得することができる。その後、識別モジュール３１２は、アクセスリスト３１４が識別情報３３２を記載しているか否かを決定するために、アクセスリスト３１４において識別情報３３２を調べることができる。識別モジュール３１２が、識別情報３３２がアクセスリスト３１４中にないことを確認すると、識別モジュール３１２は、ＵＥ１３０がＣＳＧのメンバーではないと決定する。
【００４３】
図３に示すように、システム３００は、前述した、アクセス制御モジュール１１２と、リソース制御モジュール１１４と、パラメータのセット１１６と、プロセッサ１１７と、メモリ１１９とを含むことができる。一態様では、アクセス制御モジュール１１２およびリソース制御モジュール１１４は、パラメータのセット１１６と、識別モジュール３１２によって与えられたメンバーシップ決定とに基づいてアクセス制御およびリソース管理を実施することができる。さらに、メモリ１１９は、アクセスリスト３１４を保持するように構成されることができ、プロセッサ１１７は、識別モジュール３１２の機能を実施するように構成されることができることを諒解されたい。
【００４４】
図４は、様々な態様によるＣＳＧの非メンバーに対してアクセスを制限することを容易にするワイヤレス通信システム４００を示す。システム４００は、メンバーＵＥ１２０、非メンバー１３０、アクセス制御モジュール１１２、パラメータのセット１１６、識別モジュール３１２、アクセスリスト３１４など、前の図で紹介したコンポーネントおよび装置を含むことができる。
【００４５】
一態様によれば、パラメータのセット１１６は、非メンバーユーザの最大数を指定するパラメータ４０２を含むことができる。ハイブリッドアクセスモードで動作する間、基地局１１０は、関連付けられたＣＳＧのメンバーではないＵＥを承認することができる、ただし、それらのＵＥを承認することによって、非メンバーＵＥの総数がパラメータ４０２を超えることを条件とする。非メンバーＵＥは、その関連付けられた識別情報（たとえば、識別情報３３２）がＣＳＧのメンバーを列挙するアクセスリスト３１４上に含まれないＵＥ（たとえば、非メンバーＵＥ１３０）である。
【００４６】
基地局１１０は、現在有効である、ＵＥと基地局１１０と間の接続を監視するモニタモジュール４０４を含むことができる。一態様では、モニタモジュール４０４は、アクティブであり接続されたすべてのＵＥをリストする現在のユーザリスト４０６を維持する。現在のユーザリスト４０６は、接続されたＵＥの識別情報、ならびに識別モジュール３１２によって決定される、接続された各ＵＥがＣＳＧのメンバーであるか否かに関するインジケーションを含むことができる。モニタモジュール４０４は、ＵＥが接続するとき、接続を切断するとき、他の基地局にハンドオフするときなどに現在のユーザリスト４０６を更新することができる。
【００４７】
一例によれば、アクセス制御モジュール１１２は、ＵＥからアクセス要求を受信すると、ＵＥをメンバーまたは非メンバーとして識別するために識別モジュール３１２に相談する（consult）。たとえば、非メンバーＵＥ１３０からアクセス要求を受信するとき、アクセス制御モジュール１１２は、識別モジュール３１２によって、ＵＥがＣＳＧのメンバーではないことを通知され得る。アクセス制御モジュール１１２は、基地局１１０に接続された同時非メンバーの数を決定するために現在のユーザリスト４０６を分析する。アクセス制御モジュール１１２は、同時非メンバーの数を、許可された同時非メンバーの最大数を指定するパラメータ４０２と比較することができる。同時非メンバーの数が同時非メンバーの最大数に一致するかまたはそれを上回るとき、アクセス制御モジュール１１２は、非メンバーＵＥ１３０からのアクセス要求を拒否することができる。しかし、同時非メンバーの数がパラメータ４０２によって指定された最大数を下回るときには、アクセス制御モジュール１１２は、非メンバーＵＥ１３０を承認することを選ぶことができる。
【００４８】
別の例では、アクセス制御モジュール１１２は、現在のユーザリスト４０６によって示される同時非メンバーの数が、いつ最大数またはその近くにあるかを観察することができる。そのような場合、非メンバーの数が最大値に達するとき、アクセス制御モジュール１１２は、１つまたは複数の非メンバーＵＥについてハンドオーバ手順を開始することができる。非メンバーＵＥのハンドオーバを開始することにより、基地局１１０が同時非メンバーの最大数からバッファを維持することを可能にすることができ、および／または、入ってくるアクセス要求が最大値を超えることなく満たされることを可能にすることができる。
【００４９】
図５を参照すると、様々な態様によるＣＳＧの非メンバーのためのリソースの管理を容易にするシステム５００が示されている。システム５００は、基地局１１０、メンバーＵＥ１２０、非メンバー１３０、リソース制御モジュール１１４、パラメータのセット１１６、識別モジュール３１２、アクセスリスト３１４など、前の図で紹介したコンポーネントおよび装置を含むことができる。さらに、基地局１１０は、リソースのスケジュール５０６を生成するスケジューラ５０４を含むことができる。
【００５０】
一態様によれば、パラメータのセット１１６は、非メンバーユーザに割り当てられることが可能なリソースの最大量を指定するパラメータ５０２を含むことができる。ハイブリッドアクセスモードで動作する間、基地局１１０は、非メンバーＵＥに割り当てられたリソースがパラメータ５０２によって指定されたレベルを超えないのであれば、関連付けられたＣＳＧのメンバーではないＵＥにサービスすることができる。
【００５１】
基地局１１０は、ダウンリンクおよび／またはアップリンク上でＵＥをスケジュールするスケジューラ５０４を含むことができる。ダウンリンクスケジューリングでは、スケジューラ５０４は、サブフレームのダウンリンクチャネル（物理ダウンリンク共有チャネル（ＰＤＳＣＨ）など）上の１つまたは複数のリソースブロック（たとえば、時間周波数リソースの一部分）をＵＥに割り当てることができる。アップリンクスケジューリングでは、スケジューラ５０４は、サブフレームのアップリンクチャネル（物理アップリンク共有チャネル（ＰＵＳＣＨ）など）上の１つまたは複数のリソースブロックを割り当てる。スケジューラ５０４は、ＵＥが送信のためにキューに入れられたダウンリンクデータを有するときはいつでも、ダウンリンクリソースを割り当てることができる。同様に、スケジューラ５０４は、ＵＥからのスケジューリング要求に応答してアップリンクリソースを割り当てることができる。現在のリソース割当てならびに過去の割当ては、ハイブリッドモード動作中のリソース管理を容易にするためにスケジュール５０６中に記録されることができる。
【００５２】
パラメータ５０２は、ＣＳＧの非メンバーに割り当てられ得るリソースの最大レベルを示す。たとえば、スケジューラ５０４は、システム帯域幅、有効なリソース利用量、データバッファサイズなどによる限界を超えて、制限なしに、メンバーＵＥ１２０にリソースを割り当てることができる。しかしながら、スケジューラ５０４は、非メンバーＵＥにリソースを割り当てるときにはさらに制限される。たとえば、スケジューラ５０４は、パラメータ５０２によって指定されたレベルを超えるべきではない。
【００５３】
パラメータ５０２は、ＣＳＧの非メンバーに割当て可能な物理リソースブロックの最大パーセンテージであることができる。パーセンテージとして表されるとき、割当て可能なリソースの実際の量はシステム帯域幅に依存するようになる。たとえば、パラメータ５０２によって表される所与のパーセンテージについて、より大きなシステム帯域幅はより多数のリソースブロックに等しい。別の態様では、パラメータ５０２は、非メンバーに割り当てられることのできる物理リソースブロックの実際の最大数を表すことができる。そのような形態では、割当て可能な最大リソースは、システム帯域幅に依存しない。
【００５４】
リソース制御モジュール１１４は、スケジューラ５０４と対話して、および／またはスケジューラ５０４を制御して、それによって生成されるスケジュール５０６がパラメータ５０２によって定められた制限に違反しないことを確実にすることができる。一態様では、リソース制御モジュール１１４は、瞬間的な時間スケールで（たとえば、単一のサブフレームなどの単一のスケジューリング期間にわたって）、またはより大きな時間スケールで（たとえば、複数のサブフレームにわたる平均で）パラメータ５０２を課すことができる。一例によれば、リソース制御モジュール１１４は、スケジューラ５０４が、単一のサブフレーム内で、非メンバーＵＥ１３０などの非メンバーにパラメータ５０２によって指定されたレベルを超えるリソースの量を割り当てないことを保証する。別の例では、リソース制御モジュール１１４は、スケジューラが、特定のサブフレームにおいてパラメータ５０２によって指定されたレベルを超えることができるようにすることができる。しかしながら、後続の１つまたは複数のサブフレームについては、リソース制御モジュール１１４は、前の超過のバランスをとるために、非メンバーへのリソース割当てに対して、より急激な制限を課すことができる。この点について、リソース制御モジュール１１４は、経時的に平均して非メンバーに割当て可能なリソースの最大量を課す。
【００５５】
図６〜図１１を参照して、ハイブリッドアクセスモードで動作するホーム基地局のアクセス制御およびリソース管理を容易にすることに関する方法を説明する。該方法は、上記のように、システム１００、３００、４００、および／または５００によって実施されることができる。説明を簡単にするために、方法を一連の動作として示し説明するが、いくつかの動作は、１つまたは複数の実施形態によれば、本明細書で示し説明する順序とは異なる順序で、および／または他の動作と同時に起こり得るので、方法は動作の順序によって限定されないことを理解および諒解されたい。たとえば、方法は、状態図など、相互に関連する一連の状態または事象として代替的に表現され得ることを、当業者ならば理解し、諒解するであろう。さらに、１つまたは複数の実施形態による方法を実施するために、示された動作の必ずしもすべてが必要とされるわけではない。
【００５６】
図６を参照すると、メンバーシップステータスに従ってリソースを管理するための方法６００が示されている。参照番号６０２において、モバイルデバイスは、ホーム基地局（たとえば、フェムトセル、フェムトアクセスポイント、ホームノードＢ、ホームｅノードＢなど）に関連付けられた限定加入者グループ（ＣＳＧ）のメンバーまたは非メンバーとして識別されることができる。参照番号６０４において、方法６００は、モバイルデバイスのメンバーシップステータスに基づいて分岐することができる。モバイルデバイスがメンバーではない場合、方法６００は参照番号６０６に進むことができ、そこで、パラメータに従ってリソースがモバイルデバイスに割り当てられる。パラメータは、ＣＳＧの非メンバーに提供すべきリソースのレベルを示すことができる。一態様では、パラメータは、パーセンテージを含むことができ、パーセンテージは、非メンバーに割当て可能な全リソースの一部分を示す。モバイルデバイスがＣＳＧのメンバーである場合、方法６００は参照番号６０８に進むことができ、そこで、モバイルデバイスは、パラメータを考慮せずにリソースを割り当てられる。
【００５７】
次に図７を参照すると、限定加入者グループの非メンバーであるユーザのグループをスケジュールするための方法７００が示されている。参照番号７０２において、ホーム基地局に接続された非メンバーのセットが識別される。参照番号７０４において、非メンバーのセットは、該セットに割り当てられるリソースの量が、非メンバーへの割当てに利用可能なリソースの最大量を示すパラメータによって指定された量を下回ったままであるように、スケジュールされることができる。一例では、サブフレームのリソースの一部分は、リソースの該部分が該最大量を超えないのであれば、非メンバーのセットに割り当てられることができる。別の例では、セットに割り当てられるリソースの量は、この量が経時的に平均して最大値を超えないように制御されることができる。
【００５８】
図８は、ＣＳＧに含まれないモバイルデバイスからのスケジューリング要求を処理するための方法８００を示す。参照番号８０２において、スケジューリング要求が受信される。スケジューリング要求は、アップリンクリソースの申請であることができる。参照番号８０４において、スケジューリング要求を許可するために必要とされるリソースの量が特定される。参照番号８０６において、ＣＳＧの非メンバーに割当て可能な利用可能なリソースの量が決定される。一例では、利用可能なリソースの量は、非メンバーに割当て可能なリソースの最大量を指定するパラメータと、非メンバーに割り当てられたリソースの現在の量とに基づいて、決定されることができる。参照番号８０８において、必要とされるリソースの量と利用可能なリソースの量との間の比較が行われる。利用可能なリソースの量が、必要とされる利用可能なリソースの量以上であるときには、方法８００は参照番号８１０に進むことができ、そこで要求が許可される。利用可能なリソースの量が、必要とされる利用可能なリソースの量未満であるときには、方法８００は参照番号８１２に進むことができ、そこで要求が拒否される。
【００５９】
図９は、リソース管理パラメータに基づいて、ＣＳＧのメンバーではないモバイルデバイスからの接続要求を処理するための方法９００を示す。参照番号９０２において、接続要求が受信される。参照番号９０４において、要求がＣＳＧのメンバーから出るのか非メンバーから出るのかが識別される。参照番号９０６において、要求がメンバーから出る場合、方法９００は参照番号９０８に進むことができ、そこで接続が確立される。参照番号９０６において、要求が非メンバーから出る場合、方法９００は参照番号９１０に進むことができ、そこで、非メンバーに割当て可能な利用可能なリソースの量が決定される。参照番号９１２において、利用可能なリソースの量のチェックが行われる。参照番号９１２において、利用可能なリソースの量が０よりも大きい場合、方法９００は参照番号９０８に進み、そこで接続が確立される。利用可能なリソースの量が０以下である場合、方法９００は参照番号９１４に進み、そこで要求が拒否される。
【００６０】
図１０は、リソース管理を容易にするためにハンドオーバを採用するための方法を示す。参照番号１００２において、限定加入者グループの非メンバーに割り当てられたリソースの現在の量が監視される。参照番号１００４において、リソースの現在の量がＣＳＧの非メンバーに割当て可能なリソースの最大量を指定するパラメータによって定義されたピークの近くにあるかどうかに関するチェックが行われる。リソースの現在の量がピークの近くにない場合、量の監視が継続する。しかしながら、リソースの現在の量がピークの近くにある場合、方法１０００は参照番号１００６に進むことができ、そこで少なくとも１つの非メンバーのハンドオーバが開始される。
【００６１】
図１１は、ハイブリッドモードで動作するホーム基地局のための承認制御のための方法１１００を示す。参照番号１００２において、接続を確立したいという要求が受信される。参照番号１１０４において、要求を出しているモバイルデバイスが、ホーム基地局に関連付けられた限定加入者グループのメンバーであるのか非メンバーであるのかが識別されることができる。参照番号１１０６において、パラメータとモバイルデバイスのメンバーシップステータスとに基づいて、モバイルデバイスを承認すべきか拒否すべきかが決定される。一例では、パラメータは、許可される同時非メンバーユーザの最大数を指定することができる。要求は、非メンバーの現在の数が最大数以上であるときには拒否され得る。要求は、現在の数が最大値未満であるときには許可され得る。
【００６２】
本明細書で説明する１つまたは複数の態様によれば、利用可能なリソースを推定すること、必要とされるリソースを推定すること、ハンドオーバを開始すべきかどうかを決定することなどに関して推論が行われ得ることが諒解されよう。本明細書で使用する「推論する（infer）」または「推論（inference）」という用語は、概して、事象および／またはデータを介して捕捉された観察のセットから、システム、環境、および／またはユーザの状態について推理するまたは推論するプロセスを指す。推論は、特定のコンテキストまたはアクションを識別するために使用されることができ、あるいは、たとえば、状態の確率分布を生成することができる。推論は、確率的なもの、すなわち、データおよび事象の考察に基づいて関心のある状態の確率分布の計算であることができる。推論は、また、複数の事象および／またはデータのセットからより高いレベルの事象を構成するために使用される技法も指し得る。そのような推論は、事象が時間的に近接して相関するか否かにかかわらず、ならびに事象およびデータが１つの事象およびデータソースに由来するか複数の事象およびデータソースに由来するかにかかわらず、観察された事象および／または記憶された事象データのセットから新しい事象またはアクションの構成をもたらす。
【００６３】
次に図１２を参照すると、ハイブリッドアクセスモードで動作するホーム基地局のためのリソース管理を容易にする装置１２００が示されている。装置１２００は機能ブロックを含むものとして表されており、それらの機能ブロックが、プロセッサ、ソフトウェア、またはそれらの組合せ（たとえば、ファームウェア）によって実施される機能を表す機能ブロックであることができることを諒解されたい。装置１２００は、基地局（たとえば、基地局１１０）および／または他のいずれか好適なネットワークエンティティによって実施されることができる。装置１２００は、モバイルデバイスが限定加入者グループのメンバーであるのか非メンバーであるのかを識別するためのモジュール１２０２と、モバイルデバイスが非メンバーであるとき、パラメータに従ってモバイルデバイスにリソースを割り当てるためのモジュール１２０４とを含むことができる。さらに、装置１２００は、スケジューリング要求を受信するためのオプションのモジュール１２０６と、スケジューリング要求を許可するために必要とされるリソースの量を特定するためのオプションのモジュール１２０８と、非メンバーに割り当てるために利用可能なリソースの量を決定するためのオプションのモジュール１２１０と、スケジューリング要求を許可するためのオプションのモジュール１２１２と、スケジューリング要求を拒否するためのオプションのモジュール１２１４とを含むことができる。さらに、装置１２００は、接続要求を受信するためのオプションのモジュール１２１６と、接続要求を許可するためのオプションのモジュール１２１８と、接続要求を拒否するためのオプションのモジュール１２２０とを含むことができる。さらに、装置１２００は、モジュール１２０２〜１２２０に関連付けられた機能を実行するための命令を保持するメモリ１２２２を含むことができる。
【００６４】
図１３は、ハイブリッドアクセスモードで動作するホーム基地局のための承認制御を容易にする装置１３００を示す。装置１３００は機能ブロックを含むものとして表されており、それらの機能ブロックが、プロセッサ、ソフトウェア、またはそれらの組合せ（たとえば、ファームウェア）によって実施される機能を表す機能ブロックであることができることを諒解されたい。装置１３００は、基地局（たとえば、基地局１１０）および／または他のいずれか好適なネットワークエンティティによって実施されることができる。装置１３００は、接続を確立したいという要求を受信するためのモジュール１３０２と、モバイルデバイスが限定加入者グループのメンバーであるのか非メンバーであるのかを識別するためのモジュール１３０４と、要求を受け入れるべきか拒否すべきかを決定するためのモジュール１３０６とを含むことができる。さらに、装置１３００は、スケジューリング要求を受信するためのオプションのモジュール１３０８と、スケジューリング要求を許可するために必要とされるリソースの量を特定するためのオプションのモジュール１２０８と、接続された非メンバーの現在の数を決定するためのオプションのモジュール１２１０と、非メンバーの現在の数とパラメータとを比較するためのオプションのモジュール１３１０と、要求を拒否するためのオプションのモジュール１３１２と、要求を許可するためのオプションのモジュール１３１４とを含むことができる。さらに、装置１３００は、モジュール１３０２〜１３１４に関連付けられた機能を実行するための命令を保持するメモリ１３１６を含むことができる。
【００６５】
図１４は、本明細書で説明する機能の様々な態様を実施するために利用され得る別のシステム１４００のブロック図である。一例では、システム１４００はモバイルデバイス１４０２を含む。図示のように、モバイルデバイス１４０２は、１つまたは複数のアンテナ１４０８を介して、１つまたは複数の基地局１４０４から（１つまたは複数の）信号を受信し、１つまたは複数の基地局１４０４に送信することができる。さらに、モバイルデバイス１４０２は、（１つまたは複数の）アンテナ１４０８から情報を受信する受信機１４１０を備えることができる。一例では、受信機１４１０は、受信した情報を復調する復調器（Ｄｅｍｏｄ）１４１２に動作可能に関連付けられることができる。復調されたシンボルは、次いで、プロセッサ１４１４によって分析されることができる。プロセッサ１４１４は、モバイルデバイス１４０２に関するデータおよび／またはプログラムコードを記憶することができるメモリ１４１６に結合されることができる。モバイルデバイス１４０２は、また、送信機１４２０によって（１つまたは複数の）アンテナ１４０８を介して送信するために信号を多重化することができる変調器１４１８を含むことができる。
【００６６】
図１５は、本明細書で説明する機能の様々な態様を実施するために利用され得るシステム１５００のブロック図である。一例では、システム１５００は、基地局または基地局１５０２を含む。図示のように、基地局１５０２は、１つまたは複数の受信（Ｒｘ）アンテナ１５０６を介して１つまたは複数のＵＥ１５０４から（１つまたは複数の）信号を受信し、１つまたは複数の送信（Ｔｘ）アンテナ１５０８を介して１つまたは複数のＵＥ１５０４に送信することができる。さらに、基地局１５０２は、（１つまたは複数の）受信アンテナ１５０６から情報を受信する受信機１５１０を備えることができる。一例では、受信機１５１０は、受信した情報を復調する復調器（Ｄｅｍｏｄ）１５１２に動作可能に関連付けられることができる。復調されたシンボルは、次いで、プロセッサ１５１４によって分析されることができる。プロセッサ１５１４は、コードクラスタ、アクセス端末割当て、それに関連したルックアップテーブル、ユニークなスクランブリングシーケンスに関する情報、および／または他の好適なタイプの情報を記憶することができるメモリ１５１６に結合されることができる。基地局１５０２は、また、送信機１５２０によって（１つまたは複数の）送信アンテナ１５０８を介して送信するために信号を多重化することができる変調器１５１８を含むことができる。
【００６７】
いくつかの態様では、本明細書の教示は、マクロスケールのカバレージ（たとえば、一般にマクロセルネットワークと呼ばれる３Ｇネットワークなどの広域セルラーネットワーク）およびより小さいスケールのカバレージ（たとえば、住居ベースまたは建物ベースのネットワーク環境）を含むネットワーク中で、採用され得る。アクセス端末（「ＡＴ」）がそのようなネットワーク中を移動するとき、アクセス端末は、あるロケーションでは、マクロカバレージを提供するアクセスノード（「ＡＮ」）によってサービスされることができ、他のロケーションでは、より小さいスケールのカバレージを提供するアクセスノードによってサービスされることができる。いくつかの態様では、より小さいカバレージノードを使用して、インクリメンタルな容量増大、屋内カバレージ、および様々なサービス（たとえば、よりロバストなユーザエクスペリエンスのために）を提供することができる。本明細書の説明では、比較的大きなエリアにわたってカバレージを提供するノードは、マクロノードと呼ばれ得る。比較的小さなエリア（たとえば、住居）にわたってカバレージを提供するノードは、フェムトノードと呼ばれ得る。マクロエリアよりも小さく、フェムトエリアよりも大きなエリアにわたってカバレージを提供するノードは、ピコノードと呼ばれ得る（たとえば、商業建築物内のカバレージを提供する）。
【００６８】
マクロノード、フェムトノード、またはピコノードに関連付けられたセルは、それぞれ、マクロセル、フェムトセル、またはピコセルと呼ばれ得る。いくつかの実装形態では、各セルは、さらに、１つまたは複数のセクタに関連付けられる（たとえば、分割される）ことができる。
【００６９】
様々な適用例では、マクロノード、フェムトノード、またはピコノードに言及するために他の用語が使用され得る。たとえば、マクロノードは、アクセスノード、基地局、アクセスポイント、ｅノードＢ、マクロセルなどとして構成され、またはそのように呼ばれ得る。また、フェムトノードは、ホームノードＢ、ホームｅノードＢ、アクセスポイント基地局、フェムトセルなどとして構成され、またはそのように呼ばれ得る。
【００７０】
図１６は、本明細書の教示が実施され得る、複数のユーザをサポートするように構成されたワイヤレス通信システム１６００を示す。システム１６００は、たとえば、マクロセル１６０２Ａ〜１６０２Ｇのような複数のセル１６０２のための通信を提供し、各セルは、対応するアクセスノード１６０４（たとえば、アクセスノード１６０４Ａ〜１６０４Ｇ）によってサービスされる。図１６に示すように、アクセス端末１６０６（たとえば、アクセス端末１６０６Ａ〜１６０６Ｌ）は、時間とともにシステム全体にわたって様々なロケーションに分散され得る。各アクセス端末１６０６は、たとえば、アクセス端末１６０６がアクティブであるかどうか、およびそれがソフトハンドオフ中であるかどうかに応じて、所与の瞬間に順方向リンク（「ＦＬ」）および／または逆方向リンク（「ＲＬ」）上で１つまたは複数のアクセスノード１６０４と通信することができる。ワイヤレス通信システム１６００は、大きな地理的領域にわたってサービスを提供することができる。たとえば、マクロセル１６０２Ａ〜１６０２Ｇは、近隣の数ブロックをカバーすることができる。
【００７１】
図１７は、１つまたは複数のフェムトノードがネットワーク環境内に展開された例示的な通信システム１７００を示す。具体的には、システム１７００は、比較的小規模のネットワーク環境中に（たとえば、１つまたは複数のユーザ住居１７３０中に）設置された複数のフェムトノード１７１０（たとえば、フェムトノード１７１０Ａおよび１７１０Ｂ）を含む。各フェムトノード１７１０は、ＤＳＬルータ、ケーブルモデム、ワイヤレスリンクまたは他の接続手段（図示せず）を介してワイドエリアネットワーク１７４０（たとえば、インターネット）およびモバイル事業者コアネットワーク１７５０に結合されることができる。以下で説明するように、各フェムトノード１７１０は、関連付けられたアクセス端末１７２０（たとえば、アクセス端末１７２０Ａ）、および、オプションで、外来アクセス端末１７２０（たとえば、アクセス端末１７２０Ｂ）をサービスするように構成されることができる。言い換えれば、フェムトノード１７１０へのアクセスは、制限されることができ、それによって、所与のアクセス端末１７２０は、指定された（１つまたは複数の）（たとえば、ホーム）フェムトノード１７１０のセットによってサービスされ得るが、指定されていないフェムトノード１７１０（たとえば、ネイバーのフェムトノード１７１０）によってはサービスされ得ない。
【００７２】
図１８は、いくつかのトラッキングエリア１８０２（またはルーティングエリアまたはロケーションエリア）が画定されたカバレージマップ１８００の一例を示し、トラッキングエリアの各々はいくつかのマクロカバレージエリア１８０４を含む。ここでは、トラッキングエリア１８０２Ａ、１８０２Ｂ、および１８０２Ｃに関連付けられたカバレージのエリアは、太線によって描かれており、マクロカバレージエリア１８０４は六角形によって表されている。トラッキングエリア１８０２は、また、フェムトカバレージエリア１８０６を含む。この例では、フェムトカバレージエリア１８０６の各々（たとえば、フェムトカバレージエリア１８０６Ｃ）は、マクロカバレージエリア１８０４（たとえば、マクロカバレージエリア１８０４Ｂ）内に示される。ただし、フェムトカバレージエリア１８０６は、完全にマクロカバレージエリア１８０４内にあるとは限らないことを諒解されたい。実際には、多数のフェムトカバレージエリア１８０６は、所与のトラッキングエリア１８０２またはマクロカバレージエリア１８０４とともに画定され得る。また、１つまたは複数のピコカバレージエリア（図示せず）は所与のトラッキングエリア１８０２またはマクロカバレージエリア１８０４内に画定され得る。
【００７３】
再び図１７を参照すると、フェムトノード１７１０の所有者は、たとえば、３Ｇモバイルサービスなど、モバイル事業者コアネットワーク１７５０を介して提供されるモバイルサービスに加入することができる。さらに、アクセス端末１７２０は、マクロ環境、および、より小規模（たとえば、住居）のネットワーク環境の両方で動作することが可能であり得る。言い換えれば、アクセス端末１７２０の現在のロケーションに応じて、アクセス端末１７２０は、マクロセルモバイルネットワーク１７５０のアクセスノード１７６０によって、またはフェムトノード１７１０のセットのうちのいずれか１つ（たとえば、対応するユーザ住居１７３０内に存在するフェムトノード１７１０Ａおよび１７１０Ｂ）によってサービスされ得る。たとえば、加入者は、自宅の外にいるときには、標準のマクロアクセスノード（たとえば、ノード１７６０）によってサービスされ、自宅にいるときには、フェムトノード（たとえば、ノード１７１０Ａ）によってサービスされる。ここでは、フェムトノード１７１０は既存のアクセス端末１７２０と後方互換性があり得ることを諒解されたい。
【００７４】
フェムトノード１７１０は、単一の周波数上で展開されることができ、または代替として、複数の周波数上で展開されることもできる。特定の構成に応じて、単一の周波数、あるいは複数の周波数のうちの１つまたは複数は、マクロノード（たとえば、ノード１７６０）によって使用される１つまたは複数の周波数とオーバーラップし得る。
【００７５】
いくつかの態様では、アクセス端末１７２０は、そのような接続が可能であるときにはいつでも、好ましいフェムトノード（たとえば、アクセス端末１７２０のホームフェムトノード）に接続するように、構成されることができる。たとえば、アクセス端末１７２０がユーザの住居１７３０内にあるときにはいつでも、アクセス端末１７２０がホームフェムトノード１７１０とのみ通信することが望ましいことがあり得る。
【００７６】
いくつかの態様では、アクセス端末１７２０がマクロセルラーネットワーク１７５０内で動作しているが、（たとえば、好適ローミングリスト中で定義された）その最も好適なネットワーク上には存在しない場合、アクセス端末１７２０は、ベターシステムリセレクション（「ＢＳＲ」：Better System Reselection）を使用して、最も好適なネットワーク（たとえば、好適なフェムトノード１７１０）を探索し続けることができ、ベターシステムリセレクションは、より良好なシステムが現在利用可能であるかどうかを決定するために、利用可能なシステムの定期的なスキャンと、その後の、そのような好適なシステムに関連付けるための努力とを含み得る。獲得エントリを用いて、アクセス端末１７２０は、特定の帯域およびチャネルの探索を制限することができる。たとえば、最も好適なシステムの探索が定期的に繰り返されることができる。好適なフェムトノード１７１０が発見されると、アクセス端末１７２０は、そのカバレージエリア内にキャンプするためのフェムトノード１７１０を選択する。
【００７７】
いくつかの態様では、フェムトノードが制限され得る。たとえば、所与のフェムトノードは、特定のサービスを特定のアクセス端末にのみ提供し得る。いわゆる制限された（または限定された）関連付けを用いた展開では、所与のアクセス端末は、マクロセルモバイルネットワークと、フェムトノードの定義されたセット（たとえば、対応するユーザ住居１７３０内に存在するフェムトノード１７１０）とによってのみサービスされ得る。いくつかの実装形態では、ノードは、少なくとも１つのノードについて、シグナリング、データアクセス、登録、ページング、またはサービスのうちの少なくとも１つを提供しないように制限され得る。
【００７８】
いくつかの態様では、（限定加入者グループホームノードＢとも呼ばれ得る）制限フェムトノードが、アクセス端末の制限されたプロビジョニングされたセットにサービスを提供するノードである。このセットは、必要に応じて一時的にまたは永続的に拡張され得る。いくつかの態様では、限定加入者グループ（「ＣＳＧ」）は、アクセス端末の共通のアクセス制御リストを共有するアクセスノード（たとえば、フェムトノード）のセットとして定義され得る。領域中のすべてのフェムトノード（または、すべての制限フェムトノード）が動作するチャネルは、フェムトチャネルと呼ばれ得る。
【００７９】
したがって、所与のフェムトノードと所与のアクセス端末との間には様々な関係が存在し得る。たとえば、アクセス端末の立場から、オープンフェムトノードは、制限された関連付けをもたないフェムトノードを指し得る。制限フェムトノードは、何らかの形で制限された（たとえば、関連付けおよび／または登録について制限された）フェムトノードを指し得る。ホームフェムトノードは、アクセス端末がそれにアクセスし、その上で動作する権限を与えられた、フェムトノードを指し得る。ゲストフェムトノードは、アクセス端末がそれにアクセスする、またはその上で動作する権限を一時的に与えられたフェムトノードを指し得る。外来フェムトノードは、おそらく非常事態（たとえば、９１１番）を除いて、アクセス端末がそれにアクセスする、またはその上で動作する権限を与えられないフェムトノードを指し得る。
【００８０】
制限フェムトノードの立場から、ホームアクセス端末は、制限フェムトノードにアクセスする権限を与えられたアクセス端末を指し得る。ゲストアクセス端末は、制限フェムトノードへの一時的アクセスをもつアクセス端末を指し得る。外来アクセス端末は、たとえば、おそらく９１１番などの非常事態を除いて、制限フェムトノードにアクセスする許可を有していないアクセス端末（たとえば、制限フェムトノードに登録するための証明書または許可を有していないアクセス端末）を指し得る。
【００８１】
便宜のために、本明細書の開示は、フェムトノードの状況で様々な機能について説明する。ただし、ピコノードは、より大きいカバレージエリアに同じまたは同様の機能を提供し得ることを諒解されたい。たとえば、ピコノードが制限される、所与のアクセス端末についてホームピコノードが定義される、などし得る。
【００８２】
次に図１９を参照すると、本明細書で提示する様々な実施形態によるワイヤレス通信システム１９００が示されている。システム１９００は、複数のアンテナグループを含むことができる基地局（たとえば、アクセスポイント）１９０２を備える。たとえば、１つのアンテナグループはアンテナ１９０４および１９０６を含むことができ、別のグループはアンテナ１９０８および１９１０を備えることができ、さらなるグループはアンテナ１９１２および１９１４を含むことができる。アンテナグループごとに２つのアンテナが示されているが、グループごとにより多いまたはより少ないアンテナが利用されることができる。基地局１９０２は、さらに、送信機チェーンおよび受信機チェーンを含むことができ、それらの各々は、当業者には諒解されるように、信号送信および受信に関連する複数のコンポーネント（たとえば、プロセッサ、変調器、マルチプレクサ、復調器、デマルチプレクサ、アンテナなど）を備えることができる。
【００８３】
基地局１９０２は、ＵＥ１９１６およびＵＥ１９２２などの１つまたは複数のＵＥと通信することができるが、基地局１９０２は、ＵＥ１９１６および１９２２と同様の実質的にいかなる数のＵＥとも通信することができることを諒解されたい。ＵＥ１９１６および１９２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１９００を通じて通信するための他の何らかの適切なデバイスであることができる。図示のように、ＵＥ１９１６は、アンテナ１９１２および１９１４と通信しており、アンテナ１９１２および１９１４は、ダウンリンク１９１８を通じてＵＥ１９１６に情報を送信し、アップリンク１９２０を通じてＵＥ１９１６から情報を受信する。さらに、ＵＥ１９２２は、アンテナ１９０４および１９０６と通信しており、アンテナ１９０４および１９０６は、ダウンリンク１９２４を通じてＵＥ１９２２に情報を送信し、アップリンク１９２６を通じてＵＥ１９２２から情報を受信する。周波数分割複信（ＦＤＤ）システムでは、たとえば、ダウンリンク１９１８は、アップリンク１９２０によって使用される周波数帯域とは異なる周波数帯域を利用することができ、ダウンリンク１９２４は、アップリンク１９２６によって使用される周波数帯域とは異なる周波数帯域を使用することができる。さらに、時分割複信（ＴＤＤ）システムでは、ダウンリンク１９１８およびアップリンク１９２０は共通の周波数帯域を利用することができ、ダウンリンク１９２４およびアップリンク１９２６は共通の周波数帯域を利用することができる。
【００８４】
アンテナの各グループおよび／またはそれらが通信するように指定されたエリアは、基地局１９０２のセクタと呼ばれ得る。たとえば、アンテナグループは、基地局１９０２によってカバーされるエリアのセクタ中のＵＥに通信するように設計されることができる。ダウンリンク１９１８および１９２４を通じた通信では、基地局１９０２の送信アンテナは、ＵＥ１９１６および１９２２のダウンリンク１９１８および１９２４の信号対雑音比を改善するためにビームフォーミングを利用することができる。さらに、基地局１９０２が、関連付けられたカバレージ中にランダムに散在するＵＥ１９１６および１９２２に送信するためにビームフォーミングを利用する間は、隣接セル中のＵＥは、基地局が単一のアンテナを通じてそのＵＥのすべてに送信する場合と比較して、干渉を受けにくい。さらに、ＵＥ１９１６および１９２２は、ピアツーピアまたはアドホック技術を使用して互いに直接通信することができる（図示せず）。
【００８５】
一例によれば、システム１９００は多入力多出力（ＭＩＭＯ）通信システムであることができる。さらに、システム１９００は、ＦＤＤ、ＦＤＭ、ＴＤＤ、ＴＤＭ、ＣＤＭなど、通信チャネル（たとえば、ダウンリンク、アップリンク、．．．）を分割するために実質的にどんなタイプの複信技法でも利用することができる。さらに、通信チャネルは、チャネル上での複数のデバイスまたはＵＥとの同時通信を可能にするために直交されることができ、一例では、ＯＦＤＭがこの点において利用されることができる。したがって、チャネルは、ある時間期間にわたる周波数の部分へと分割され得る。さらに、フレームは、時間期間の集合にわたる周波数の部分として定義されることができ、したがって、たとえば、フレームは、いくつかのＯＦＤＭシンボルを備えることができる。基地局１９０２は、様々なタイプのデータについて作り出され得るチャネルを通じてＵＥ１９１６および１９２２に通信することができる。たとえば、チャネルは、様々なタイプの一般通信データ、制御データ（たとえば、他のチャネルについての品質情報、チャネルを通じて受信されたデータについての肯定応答インジケータ、干渉情報、リファレンス信号など）などを通信するために作り出されることができる。
【００８６】
ワイヤレス多元接続通信システムは、複数のワイヤレスアクセス端末のための通信を同時にサポートすることができる。上述のように、各端末は、順方向リンクおよび逆方向リンク上での伝送を通じて１つまたは複数の基地局と通信することができる。順方向リンク（またはダウンリンク）は基地局から端末への通信リンクを指し、逆方向リンク（またはアップリンク）は端末から基地局への通信リンクを指す。この通信リンクは、単入力単出力システム、多入力多出力（「ＭＩＭＯ」）システム、または他の何らかのタイプのシステムによって確立されることができる。
【００８７】
ＭＩＭＯシステムは、データ伝送のために複数（ＮT）個の送信アンテナと複数（ＮR）個の受信アンテナとを使用する。ＮT個の送信アンテナとＮR個の受信アンテナとによって形成されるＭＩＭＯチャネルは、空間チャネルとも呼ばれるＮS個の独立チャネルへと分解されることができ、ここで、ＮS≦ｍｉｎ｛ＮT，ＮR｝である。ＮS個の独立チャネルの各々は１つの次元に対応する。ＭＩＭＯシステムは、複数の送信アンテナおよび受信アンテナによって作り出される追加の次元が利用される場合、改善されたパフォーマンス（たとえば、より高いスループットおよび／またはより大きい信頼性）を提供することができる。
【００８８】
ＭＩＭＯシステムは、時分割複信（「ＴＤＤ」）および周波数分割複信（「ＦＤＤ」）をサポートすることができる。ＴＤＤシステムでは、順方向および逆方向リンク伝送は、同一周波数領域上で行われ、したがって、相反原理により逆方向リンクチャネルからの順方向リンクチャネルの推定が可能である。これにより、複数のアンテナがアクセスポイントのところで利用可能なときには、アクセスポイントは順方向リンク上で送信ビームフォーミング利得を取り出すことが可能になる。
【００８９】
図２０は、例示的なワイヤレス通信システム２０００を示す。ワイヤレス通信システム２０００は、簡潔のために、１つの基地局２０１０と、１つのアクセス端末２０５０とを示している。ただし、システム２０００は、２つ以上の基地局および／または２つ以上のアクセス端末を含むことができ、追加の基地局および／またはアクセス端末は、以下で説明する例示的な基地局２０１０およびアクセス端末２０５０と実質的に同様または異なるものであることができることを諒解されたい。さらに、基地局２０１０および／またはアクセス端末２０５０は、それらの間のワイヤレス通信を容易にするために、本明細書で説明するシステム（図１、図３、図４、図５、図１２、および図１３）および／または方法（図６〜図１１）を採用することができることを諒解されたい。
【００９０】
基地局２０１０において、いくつかのデータストリームについてのトラフィックデータがデータソース２０１２から送信（ＴＸ）データプロセッサ２０１４に供給される。一例によれば、各データストリームは、それぞれのアンテナを通じて送信されることができる。ＴＸデータプロセッサ２０１４は、トラフィックデータストリームを、そのデータストリームについて選択された特定の符号化方式に基づいて、フォーマット化し、符号化し、インターリーブして、符号化データを供給する。
【００９１】
各データストリームの符号化データは、直交周波数分割多重（ＯＦＤＭ）技法を使用してパイロットデータで多重化されることができる。追加または代替として、パイロットシンボルは、周波数分割多重化（ＦＤＭ）、時分割多重化（ＴＤＭ）、または符号分割多重化（ＣＤＭ）されることもできる。パイロットデータは、一般に、知られている方法で処理される、知られているデータパターンであり、チャネル応答を推定するためにアクセス端末２０５０において使用されることができる。各データストリームの多重化されたパイロットおよび符号化データは、そのデータストリームについて選択された特定の変調方式（たとえば、２相位相変調（ＢＰＳＫ）、４相位相変調（ＱＰＳＫ）、Ｍ相位相変調（Ｍ−ＰＳＫ）、多値直交振幅変調（Ｍ−ＱＡＭ）など）に基づいて変調（たとえば、シンボルマッピング）されて、変調シンボルを提供することができる。各データストリームのデータレート、符号化、および変調は、プロセッサ２０３０によって実行または提供される命令によって決定されることができる。
【００９２】
データストリームについての変調シンボルは、ＴＸ  ＭＩＭＯプロセッサ２０２０に供給されることができ、ＴＸ  ＭＩＭＯプロセッサ２０２０は、（たとえば、ＯＦＤＭについて）変調シンボルをさらに処理することができる。ＴＸ  ＭＩＭＯプロセッサ２０２０は、次いで、ＮT個の変調シンボルストリームをＮT個の送信機（ＴＭＴＲ）２０２２ａ〜２０２２ｔに供給する。様々な実施形態では、ＴＸ  ＭＩＭＯプロセッサ２０２０は、データストリームのシンボルと、シンボルがそこから送信されるアンテナとに、ビームフォーミング重みを適用する。
【００９３】
各送信機２０２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを通じた伝送に適した変調信号を供給する。さらに、送信機２０２２ａ〜２０２２ｔからのＮT個の変調信号は、それぞれ、ＮT個のアンテナ２０２４ａ〜２０２４ｔから送信される。
【００９４】
アクセス端末２０５０において、送信された変調信号は、ＮR個のアンテナ２０５２ａ〜２０５２ｒによって受信され、各アンテナ２０５２から受信された信号は、それぞれの受信機（ＲＣＶＲ）２０５４ａ〜２０５４ｒに供給される。各受信機２０５４は、それぞれの信号を調整（たとえば、フィルタ処理、増幅、およびダウンコンバート）し、調整された信号をデジタル化してサンプルを与え、さらに、それらのサンプルを処理して、対応する「受信」シンボルストリームを提供する。
【００９５】
ＲＸデータプロセッサ２０６０は、特定の受信機処理技法に基づいてＮR個の受信機２０５４からＮR個の受信シンボルストリームを受信し、処理して、ＮT個の「検出」シンボルストリームを提供することができる。ＲＸデータプロセッサ２０６０は、各検出シンボルストリームを復調し、デインタリーブし、復号して、データストリームのトラフィックデータを復元することができる。ＲＸデータプロセッサ２０６０による処理は、基地局２０１０においてＴＸ  ＭＩＭＯプロセッサ２０２０およびＴＸデータプロセッサ２０１４によって実行される処理と相補的なものである。
【００９６】
プロセッサ２０７０は、上述のように、どの利用可能な技術を使用すべきかを定期的に決定することができる。さらに、プロセッサ２０７０は、マトリクスインデックス部分とランク値部分とを備える逆方向リンクメッセージを作成することができる。
【００９７】
逆方向リンクメッセージは、通信リンクおよび／または受信データストリームに関する様々なタイプの情報を備えることができる。逆方向リンクメッセージは、データソース２０３６からいくつかのデータストリームについてのトラフィックデータをも受信するＴＸデータプロセッサ２０３８によって処理され、変調器２０８０によって変調され、送信機２０５４ａ〜２０５４ｒによって調整され、基地局２０１０に戻されることができる。
【００９８】
基地局２０１０において、アクセス端末２０５０からの変調信号は、アンテナ２０２４によって受信され、受信機２０２２によって調整され、復調器２０４０によって復調され、ＲＸデータプロセッサ２０４２によって処理されて、アクセス端末２０５０によって送信された逆方向リンクメッセージが抽出される。さらに、プロセッサ２０３０は、抽出されたメッセージを処理して、ビームフォーミング重みを決定するためにどのプリコーディングマトリクスを使用すべきかを決定することができる。
【００９９】
プロセッサ２０３０および２０７０は、それぞれ基地局２０１０およびアクセス端末２０５０における動作を指示（たとえば、制御、調整、管理など）することができる。それぞれのプロセッサ２０３０および２０７０は、プログラムコードおよびデータを記憶するメモリ２０３２および２０７２に関連付けられることができる。プロセッサ２０３０および２０７０はまた、それぞれ、アップリンクおよびダウンリンクに関して周波数およびインパルス応答推定値を導出するために計算を実行することができる。
【０１００】
一態様では、論理チャネルは、制御チャネルとトラフィックチャネルとに分類される。論理制御チャネルは、システム制御情報をブロードキャストするためのＤＬチャネルであるブロードキャスト制御チャネル（ＢＣＣＨ：Broadcast Control Channel）を含むことができる。さらに、論理制御チャネルは、ページング情報を移送するＤＬチャネルであるページング制御チャネル（ＰＣＣＨ：Paging Control Channel）を含むことができる。さらに、論理制御チャネルは、マルチキャスト制御チャネル（ＭＣＣＨ：Multicast Control Channel）を備えることができ、マルチキャスト制御チャネルは、１つまたは複数のＭＴＣＨについてのマルチメディアブロードキャストおよびマルチキャストサービス（ＭＢＭＳ：Multimedia Broadcast and Multicast Service）のスケジューリングおよび制御情報を伝送するために使用されるポイントツーマルチポイントＤＬチャネルである。一般に、無線リソース制御（ＲＲＣ：Radio Resource Control）接続を確立した後、このチャネルは、ＭＢＭＳ（たとえば、古いＭＣＣＨ＋ＭＳＣＨ）を受信するＵＥによってのみ使用される。さらに、論理制御チャネルは、専用制御チャネル（ＤＣＣＨ：Dedicated Control Channel）を含むことができ、専用制御チャネルは、専用制御情報を送信するポイントツーポイント双方向チャネルであり、ＲＲＣ接続を有するＵＥによって使用されることができる。一態様では、論理トラフィックチャネルは、ユーザ情報を移送するための１つのＵＥに専用のポイントツーポイント双方向チャネルである専用トラフィックチャネル（ＤＴＣＨ：Dedicated Traffic Channel）を備えることができる。また、論理トラフィックチャネルは、トラフィックデータを送信するためのポイントツーマルチポイントＤＬチャネルに関するマルチキャストトラフィックチャネル（ＭＴＣＨ：Multicast Traffic Channel）を含むことができる。
【０１０１】
一態様では、トランスポートチャネルは、ＤＬとＵＬとに分類される。ＤＬトランスポートチャネルは、ブロードキャストチャネル（ＢＣＨ：Broadcast Channel）、ダウンリンク共有データチャネル（ＤＬ−ＳＤＣＨ：Downlink Shared Data Channel）、およびページングチャネル（ＰＣＨ：Paging Channel）を備える。ＰＣＨは、セル全体にわたってブロードキャストされること、および他の制御／トラフィックチャネルのために使用され得る物理レイヤ（ＰＨＹ）リソースにマッピングされることとによって、ＵＥ節電をサポートすることができる（たとえば、不連続受信（ＤＲＸ：Discontinuous Reception）サイクルがネットワークによってＵＥに示され得る、．．．）。ＵＬトランスポートチャネルは、ランダムアクセスチャネル（ＲＡＣＨ：Random Access Channel）、要求チャネル（ＲＥＱＣＨ：Request Channel）、アップリンク共有データチャネル（ＵＬ−ＳＤＣＨ：Uplink Shared Data Channel）、および複数のＰＨＹチャネルを備えることができる。
【０１０２】
ＰＨＹチャネルは、ＤＬチャネルとＵＬチャネルとのセットを含むことができる。たとえば、ＤＬ  ＰＨＹチャネルは、共通パイロットチャネル（ＣＰＩＣＨ：Common Pilot Channel）、同期チャネル（ＳＣＨ：Synchronization Channel）、共通制御チャネル（ＣＣＣＨ：Common Control Channel）、共有ＤＬ制御チャネル（ＳＤＣＣＨ：Shared DL Control Channel）、マルチキャスト制御チャネル（ＭＣＣＨ：Multicast Control Channel）、共有ＵＬ割当てチャネル（ＳＵＡＣＨ：Shared UL Assignment Channel）、肯定応答チャネル（ＡＣＫＣＨ：Acknowledgement Channel）、ＤＬ物理共有データチャネル（ＤＬ−ＰＳＤＣＨ：DL Physical Shared Data Channel）、ＵＬ電力制御チャネル（ＵＰＣＣＨ：UL Power Control Channel）、ページングインジケータチャネル（ＰＩＣＨ：Paging Indicator Channel）、および／または負荷インジケータチャネル（ＬＩＣＨ：Load Indicator Channel）を含むことができる。さらなる例として、ＵＬ  ＰＨＹチャネルは、物理ランダムアクセスチャネル（ＰＲＡＣＨ：Physical Random Access Channel）、チャネル品質インジケータチャネル（ＣＱＩＣＨ：Channel Quality Indicator Channel）、肯定応答チャネル（ＡＣＫＣＨ：Acknowledgement Channel）、アンテナサブセットインジケータチャネル（ＡＳＩＣＨ：Antenna Subset Indicator Channel）、共有要求チャネル（ＳＲＥＱＣＨ：Shared Request Channel）、ＵＬ物理共有データチャネル（ＵＬ−ＰＳＤＣＨ：UL Physical Shared Data Channel）、および／またはブロードバンドパイロットチャネル（ＢＰＩＣＨ：Broadband Pilot Channel）を含むことができる。
【０１０３】
本明細書で開示した実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートもしくはトランジスタロジック、ディスクリートハードウェアコンポーネント、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。
【０１０４】
さらに、本明細書で開示された態様に関して説明した方法またはアルゴリズムのステップおよび／またはアクションは、直接ハードウェアで実施される、プロセッサによって実行されるソフトウェアモジュールで実施される、またはその２つの組合せで実施されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に存在することができる。例示的な記憶媒体は、プロセッサに結合されることができ、したがって、プロセッサは、記憶媒体から情報を読み取り、記憶媒体に情報を書き込むことができる。代替として、記憶媒体はプロセッサに一体化され得る。さらに、いくつかの態様では、プロセッサおよび記憶媒体はＡＳＩＣ中に存在し得る。さらに、ＡＳＩＣはユーザ端末中に存在し得る。代替として、プロセッサおよび記憶媒体は、ユーザ端末中にディスクリートコンポーネントとして存在し得る。さらに、いくつかの態様では、方法またはアルゴリズムのステップおよび／またはアクションは、コンピュータプログラム製品に組み込まれ得る、機械可読媒体および／またはコンピュータ可読媒体上のコードおよび／または命令のセットあるいは１つまたは任意の組合せとして存在し得る。
【０１０５】
実施形態が、ソフトウェア、ファームウェア、ミドルウェアまたはマイクロコード、プログラムコードまたはコードセグメントで実装されるときには、それらは、記憶コンポーネントなどの機械可読媒体に記憶され得る。コードセグメントは、プロシージャ、関数、サブプログラム、プログラム、ルーチン、サブルーチン、モジュール、ソフトウェアパッケージ、クラス、あるいは命令、データ構造またはプログラムステートメントの任意の組合せを表すことができる。コードセグメントは、情報、データ、引数、パラメータ、またはメモリコンテンツを引き渡すおよび／または受信することによって、別のコードセグメントまたはハードウェア回路に結合されることができる。情報、引数、パラメータ、データなどは、メモリ共有、メッセージパッシング、トークンパッシング、ネットワーク伝送などを含む、任意の好適な手段を使用して、引き渡され、フォワーディングされ、または送信されることができる。
【０１０６】
ソフトウェア実装の場合、本明細書で説明した技法は、本明細書で説明した機能を実行するモジュール（たとえば、プロシージャ、関数など）を用いて実装され得る。ソフトウェアコードは、メモリユニットに記憶され、プロセッサによって実行され得る。メモリユニットは、プロセッサの内部またはプロセッサの外部に実装されることができ、その場合、メモリユニットは、当技術分野で知られているように様々な手段によってプロセッサに通信可能に結合され得る。
【０１０７】
以上の説明は、１つまたは複数の実施形態の例を含む。もちろん、上述の実施形態について説明する目的で、コンポーネントまたは方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の趣旨および範囲内に入るすべてのそのような改変形態、変更形態および変形形態を包含するものとする。さらに、「含む（include）」という用語は、詳細な説明または特許請求の範囲のいずれかにおいて使用される限り、「備える（comprising）」という用語が請求項における移行語として使用されるときに解釈されるように、その「備える（comprising）」という用語と同様に包括的なものとする。さらに、詳細な説明または特許請求の範囲のいずれかで使用される「または（or）」という用語は、「非排他的なまたは（non-exclusive or）」を意味するものとする。
以下に、本願出願の当初の特許請求の範囲に記載された発明を付記する。
［Ｃ１］  ハイブリッドアクセスモードで動作するホーム基地局のためのリソースをスケジュールするための方法であって、
前記ホーム基地局に接続されたモバイルデバイスが、前記ホーム基地局に関連付けられた限定加入者グループのメンバーであるのか非メンバーであるのかを識別することと、
前記モバイルデバイスが非メンバーであるとき、パラメータに従って前記モバイルデバイスにデータ伝送のためのリソースを割り当てることであって、前記パラメータが、前記限定加入者グループの非メンバーに提供すべきリソースのレベルを示す、割り当てることと
を備える、方法。
［Ｃ２］  前記パラメータが、前記限定加入者グループの非メンバーに割り当てるために利用可能なリソースの最大量を指定する、Ｃ１に記載の方法。
［Ｃ３］  前記ホーム基地局に接続された非メンバーモバイルデバイスのセットを識別することと、
非メンバーモバイルデバイスの前記セットに割り当てられるリソースの量が前記パラメータを下回ったままであるように、非メンバーモバイルデバイスの前記セットをスケジュールすることと
をさらに備える、Ｃ１に記載の方法。
［Ｃ４］  スケジュールすることは、サブフレームのリソースの一部分が前記パラメータを超えないように非メンバーモバイルデバイスの前記セットにリソースの前記一部分を割り当てることをさらに備える、Ｃ３に記載の方法。
［Ｃ５］  非メンバーモバイルデバイスの前記セットに割り当てられるリソースの前記量が、経時的に平均して、前記パラメータを超えない、Ｃ３に記載の方法。
［Ｃ６］  前記パラメータがパーセンテージを含み、前記パーセンテージが、前記限定加入者グループの非メンバーに割当て可能な全リソースの一部分を示す、Ｃ１に記載の方法。
［Ｃ７］  前記モバイルデバイスからスケジューリング要求を受信することであって、前記スケジューリング要求がアップリンクリソースの申請である、受信することと、
前記スケジューリング要求を許可するのに必要とされるリソースの量を特定することと、
前記パラメータと、前記限定加入者グループの非メンバーに割り当てられるリソースの現在の量とに少なくとも部分的に基づいて、非メンバーに割当て可能である利用可能なリソースの量を決定することと、
利用可能なリソースの前記量が、必要とされるリソースの前記量以上であるとき、前記スケジューリング要求を許可することと、
利用可能なリソースの前記量が、必要とされるリソースの前記量未満であるとき、前記スケジューリング要求を拒否することと
をさらに備える、Ｃ１に記載の方法。
［Ｃ８］  第２のモバイルデバイスから接続を確立したいという要求を受信することと、
前記第２のモバイルデバイスが前記限定加入者グループ中に含まれるかどうかを識別することと、
前記パラメータと、前記限定加入者グループの非メンバーに割り当てられるリソースの現在の量とに少なくとも部分的に基づいて、非メンバーに割当て可能である利用可能なリソースの量を決定することと、
利用可能なリソースの前記量が０に等しく、前記第２のモバイルデバイスが前記限定加入者グループの非メンバーであるとき、接続を確立したいという前記要求を拒否することと、
利用可能なリソースの前記量が０よりも大きいか、または前記第２のモバイルデバイスが前記限定加入者グループのメンバーであるかのうちの少なくとも１つであるとき、前記第２のモバイルデバイスとの接続を確立することと
をさらに備える、Ｃ１に記載の方法。
［Ｃ９］  前記限定加入者グループの非メンバーに割り当てられたリソースの現在の量を監視することと、
非メンバーに割り当てられたリソースの前記現在の量が前記パラメータによって定義されたピークの近くにあるとき、前記ホーム基地局に接続された少なくとも１つの非メンバーユーザについてハンドオーバを開始することと
をさらに備える、Ｃ１に記載の方法。
［Ｃ１０］  ワイヤレス通信装置であって、
前記ワイヤレス通信装置に接続されたモバイルデバイスが限定加入者グループのメンバーであるのか非メンバーであるのかを識別することと、
前記モバイルデバイスが非メンバーであるとき、パラメータに従って前記モバイルデバイスにデータ伝送のためのリソースを割り当てることであって、前記パラメータが、前記限定加入者グループの非メンバーに提供すべきリソースのレベルを示す、割り当てることと
を行うように構成された少なくとも１つのプロセッサ
を備える、ワイヤレス通信装置。
［Ｃ１１］  前記パラメータが、前記限定加入者グループの非メンバーに割り当てるために利用可能なリソースの最大量を指定する、Ｃ１０に記載のワイヤレス通信装置。
［Ｃ１２］  前記少なくとも１つのプロセッサが、
前記ワイヤレス通信装置に接続された非メンバーモバイルデバイスのセットを識別することと、
非メンバーモバイルデバイスの前記セットに割り当てられるリソースの量が前記パラメータを下回ったままであるように、非メンバーモバイルデバイスの前記セットをスケジュールすることと
を行うようにさらに構成された、Ｃ１０に記載のワイヤレス通信装置。
［Ｃ１３］  前記少なくとも１つのプロセッサが、サブフレームのリソースの一部分が前記パラメータを超えないように非メンバーモバイルデバイスの前記セットにリソースの前記一部分を割り当てるようにさらに構成された、Ｃ１２に記載のワイヤレス通信装置。
［Ｃ１４］  非メンバーモバイルデバイスの前記セットに割り当てられるリソースの前記量が、経時的に平均して、前記パラメータを超えない、Ｃ１２に記載のワイヤレス通信装置。
［Ｃ１５］  前記パラメータがパーセンテージを含み、前記パーセンテージが、前記限定加入者グループの非メンバーに割当て可能な全リソースの一部分を示す、Ｃ１０に記載のワイヤレス通信装置。
［Ｃ１６］  前記少なくとも１つのプロセッサが、
前記モバイルデバイスからスケジューリング要求を受信することであって、前記スケジューリング要求がアップリンクリソースの申請である、受信することと、
前記スケジューリング要求を許可するのに必要とされるリソースの量を特定することと、
前記パラメータと、前記限定加入者グループの非メンバーに割り当てられるリソースの現在の量とに少なくとも部分的に基づいて、非メンバーに割当て可能である利用可能なリソースの量を決定することと、
利用可能なリソースの前記量が、必要とされるリソースの前記量以上であるとき、前記スケジューリング要求を許可することと、
利用可能なリソースの前記量が、必要とされるリソースの前記量未満であるとき、前記スケジューリング要求を拒否することと
を行うようにさらに構成された、Ｃ１０に記載のワイヤレス通信装置。
［Ｃ１７］  前記少なくとも１つのプロセッサが、
第２のモバイルデバイスから接続を確立したいという要求を受信することと、
前記第２のモバイルデバイスが前記限定加入者グループ中に含まれるかどうかを識別することと、
前記パラメータと、前記限定加入者グループの非メンバーに割り当てられるリソースの現在の量とに少なくとも部分的に基づいて、非メンバーに割当て可能である利用可能なリソースの量を決定することと、
前記利用可能なリソースの量が０に等しく、前記第２のモバイルデバイスが前記限定加入者グループの非メンバーであるとき、接続を確立したいという前記要求を拒否することと、
利用可能なリソースの前記量が０よりも大きいか、または前記第２のモバイルデバイスが前記限定加入者グループのメンバーであるかのうちの少なくとも１つであるとき、前記第２のモバイルデバイスとの接続を確立することと
を行うようにさらに構成された、Ｃ１０に記載のワイヤレス通信装置。
［Ｃ１８］  前記少なくとも１つのプロセッサが、
前記限定加入者グループの非メンバーに割り当てられたリソースの現在の量を監視することと、
非メンバーに割り当てられたリソースの前記現在の量が前記パラメータによって定義されたピークの近くにあるとき、前記ワイヤレス通信装置と接続された少なくとも１つの非メンバーユーザについてハンドオーバを開始することと
を行うようにさらに構成された、Ｃ１０に記載のワイヤレス通信装置。
［Ｃ１９］  装置であって、
前記装置に接続されたモバイルデバイスが限定加入者グループのメンバーであるのか非メンバーであるのかを識別するための手段と、
前記モバイルデバイスが非メンバーであるとき、パラメータに従って前記モバイルデバイスにデータ伝送のためのリソースを割り当てるための手段であって、前記パラメータが、前記限定加入者グループの非メンバーに提供すべきリソースのレベルを示す、割り当てるための手段と
を備える、装置。
［Ｃ２０］  前記パラメータが、前記限定加入者グループの非メンバーに割り当てるために利用可能なリソースの最大量を指定する、Ｃ１９に記載の装置。
［Ｃ２１］  前記装置に接続された非メンバーモバイルデバイスのセットを識別するための手段と、
非メンバーモバイルデバイスの前記セットに割り当てられるリソースの量が前記パラメータを下回ったままであるように、非メンバーモバイルデバイスの前記セットをスケジュールするための手段と
をさらに備える、Ｃ１９に記載の装置。
［Ｃ２２］  サブフレームのリソースの一部分が前記パラメータを超えないように非メンバーモバイルデバイスの前記セットにリソースの前記一部分を割り当てるための手段をさらに備える、Ｃ２１に記載の装置。
［Ｃ２３］  非メンバーモバイルデバイスの前記セットに割り当てられるリソースの前記量が、経時的に平均して、前記パラメータを超えない、Ｃ２１に記載の装置。
［Ｃ２４］  前記パラメータがパーセンテージを含み、前記パーセンテージが、前記限定加入者グループの非メンバーに割当て可能な全リソースの一部分を示す、Ｃ１９に記載の装置。
［Ｃ２５］  前記モバイルデバイスからスケジューリング要求を受信するための手段であって、前記スケジューリング要求がアップリンクリソースの申請である、受信するための手段と、
前記スケジューリング要求を許可するのに必要とされるリソースの量を特定するための手段と、
前記パラメータと、前記限定加入者グループの非メンバーに割り当てられるリソースの現在の量とに少なくとも部分的に基づいて、非メンバーに割当て可能である利用可能なリソースの量を決定するための手段と、
利用可能なリソースの前記量が、必要とされるリソースの前記量以上であるとき、前記スケジューリング要求を許可するための手段と、
利用可能なリソースの前記量が、必要とされるリソースの前記量未満であるとき、前記スケジューリング要求を拒否するための手段と
をさらに備える、Ｃ１９に記載の装置。
［Ｃ２６］  第２のモバイルデバイスから接続を確立したいという要求を受信するための手段と、
前記第２のモバイルデバイスが前記限定加入者グループ中に含まれるかどうかを識別するための手段と、
前記パラメータと、前記限定加入者グループの非メンバーに割り当てられるリソースの現在の量とに少なくとも部分的に基づいて、非メンバーに割当て可能である利用可能なリソースの量を決定するための手段と、
利用可能なリソースの前記量が０に等しく、前記第２のモバイルデバイスが前記限定加入者グループの非メンバーであるとき、接続を確立したいという前記要求を拒否するための手段と、
利用可能なリソースの前記量が０よりも大きいか、または前記第２のモバイルデバイスが前記限定加入者グループのメンバーであるかのうちの少なくとも１つであるとき、前記第２のモバイルデバイスとの接続を確立するための手段と
をさらに備える、Ｃ１９に記載の装置。
［Ｃ２７］  前記限定加入者グループの非メンバーに割り当てられたリソースの現在の量を監視するための手段と、
非メンバーに割り当てられたリソースの前記現在の量が前記パラメータによって定義されたピークの近くにあるとき、前記装置と接続された少なくとも１つの非メンバーユーザについてハンドオーバを開始するための手段と
をさらに備えた、Ｃ１９に記載の装置。
［Ｃ２８］    少なくとも１つのコンピュータに、ホーム基地局に接続されたモバイルデバイスが、前記ホーム基地局に関連付けられた限定加入者グループのメンバーであるのか非メンバーであるのかを識別させるためのコードと、
前記少なくとも１つのコンピュータに、前記モバイルデバイスが非メンバーであるとき、パラメータに従って前記モバイルデバイスにデータ伝送のためのリソースを割り当てさせるためのコードであって、前記パラメータが、前記限定加入者グループの非メンバーに提供すべきリソースのレベルを示す、割り当てさせるためのコードと
を備える、コンピュータ可読媒体
を備える、コンピュータプログラム製品。
［Ｃ２９］  前記パラメータが、前記限定加入者グループの非メンバーに割り当てるために利用可能なリソースの最大量を指定する、Ｃ２８に記載のコンピュータプログラム製品。
［Ｃ３０］  前記コンピュータ可読媒体が、
前記少なくとも１つのコンピュータに、前記ホーム基地局に接続された非メンバーモバイルデバイスのセットを識別させるためのコードと、
前記少なくとも１つのコンピュータに、非メンバーモバイルデバイスの前記セットに割り当てられるリソースの量が前記パラメータを下回ったままであるように、非メンバーモバイルデバイスの前記セットをスケジュールさせるためのコードと
をさらに備える、Ｃ２８に記載のコンピュータプログラム製品。
［Ｃ３１］  非メンバーモバイルデバイスの前記セットに割り当てられるリソースの前記量が、経時的に平均して、前記パラメータを超えない、Ｃ３０に記載のコンピュータプログラム製品。
［Ｃ３２］  前記コンピュータ可読媒体が、前記少なくとも１つのコンピュータに、サブフレームのリソースの一部分が前記パラメータを超えないように非メンバーモバイルデバイスの前記セットにリソースの前記一部分を割り当てさせるためのコードをさらに備える、Ｃ３０に記載のコンピュータプログラム製品。
［Ｃ３３］  前記パラメータがパーセンテージを含み、前記パーセンテージが、前記限定加入者グループの非メンバーに割当て可能な全リソースの一部分を示す、Ｃ２８に記載のコンピュータプログラム製品。
［Ｃ３４］  前記コンピュータ可読媒体が、
前記少なくとも１つのコンピュータに、前記モバイルデバイスからスケジューリング要求を受信させるためのコードであって、前記スケジューリング要求がアップリンクリソースの申請である、受信させるためのコードと、
前記少なくとも１つのコンピュータに、前記スケジューリング要求を許可するのに必要とされるリソースの量を特定させるためのコードと、
前記少なくとも１つのコンピュータに、前記パラメータと、前記限定加入者グループの非メンバーに割り当てられるリソースの現在の量とに少なくとも部分的に基づいて、非メンバーに割当て可能である利用可能なリソースの量を決定させるためのコードと、
前記少なくとも１つのコンピュータに、利用可能なリソースの前記量が、必要とされるリソースの前記量以上であるとき、前記スケジューリング要求を許可させるためのコードと、
前記少なくとも１つのコンピュータに、利用可能なリソースの前記量が、必要とされるリソースの前記量未満であるとき、前記スケジューリング要求を拒否させるためのコードと
をさらに備える、Ｃ２８に記載のコンピュータプログラム製品。
［Ｃ３５］  前記コンピュータ可読媒体が、
前記少なくとも１つのコンピュータに、第２のモバイルデバイスから接続を確立したいという要求を受信させるためのコードと、
前記少なくとも１つのコンピュータに、前記第２のモバイルデバイスが前記限定加入者グループ中に含まれるかどうかを識別させるためのコードと、
前記少なくとも１つのコンピュータに、前記パラメータと、前記限定加入者グループの非メンバーに割り当てられるリソースの現在の量とに少なくとも部分的に基づいて、非メンバーに割当て可能である利用可能なリソースの量を決定させるためのコードと、
前記少なくとも１つのコンピュータに、利用可能なリソースの前記量が０に等しく、前記第２のモバイルデバイスが前記限定加入者グループの非メンバーであるとき、接続を確立したいという前記要求を拒否させるためのコードと、
前記少なくとも１つのコンピュータに、利用可能なリソースの前記量が０よりも大きいか、または前記第２のモバイルデバイスが前記限定加入者グループのメンバーであるかのうちの少なくとも１つであるとき、前記第２のモバイルデバイスとの接続を確立させるためのコードと
をさらに備える、Ｃ２８に記載のコンピュータプログラム製品。
［Ｃ３６］  前記コンピュータ可読媒体が、
前記少なくとも１つのコンピュータに、前記限定加入者グループの非メンバーに割り当てられたリソースの現在の量を監視させるためのコードと、
前記少なくとも１つのコンピュータに、非メンバーに割り当てられたリソースの前記現在の量が前記パラメータによって定義されたピークの近くにあるとき、前記ホーム基地局に接続された少なくとも１つの非メンバーユーザについてハンドオーバを開始させるためのコードと
をさらに備える、Ｃ２８に記載のコンピュータプログラム製品。
［Ｃ３７］  モバイルデバイスが限定加入者グループのメンバーまたは非メンバーのいずれであるのかを決定する識別モジュールと、
前記モバイルデバイスにリソースを割り当てるスケジューラと、
前記モバイルデバイスが前記限定加入者グループの非メンバーであるとき、パラメータに従って前記モバイルデバイスに割り当てられるリソースの量を制限するリソース制御モジュールと
を備える、装置。
［Ｃ３８］  前記パラメータが、前記限定加入者グループの非メンバーに割当て可能なリソースの最大量を指定する、Ｃ３７に記載の装置。
［Ｃ３９］  前記リソース制御モジュールは、スケジューラが非メンバーに、割当て可能なリソースの前記最大量以下であるリソースの量を割り当てることを保証する、Ｃ３８に記載の装置。
［Ｃ４０］  前記識別モジュールが、前記モバイルデバイスに関連付けられた識別情報を取得し、前記識別情報をアクセスリストに問い合わせる、Ｃ３７に記載の装置。
［Ｃ４１］  ホーム基地局へのアクセスを管理するための方法であって、
モバイルデバイスから接続を確立したいという要求を受信することと、
前記モバイルデバイスが、前記ホーム基地局に関連付けられた限定加入者グループのメンバーまたは非メンバーのいずれであるのかを識別することと、
パラメータに少なくとも部分的に基づいて前記モバイルデバイスを承認すべきか拒否すべきかを決定することであって、前記パラメータが、同時非メンバーユーザの最大数を指定する、決定することと
を備える、方法。
［Ｃ４２］  前記ホーム基地局に接続された非メンバーの現在の数を決定することと、
非メンバーの前記現在の数を前記パラメータと比較することと、
非メンバーの前記現在の数が前記パラメータ以上であるとき、前記要求を拒否することと、
非メンバーの前記現在の数が前記パラメータ未満であるとき、前記モバイルデバイスを承認することと
をさらに備える、Ｃ４１に記載の方法。
［Ｃ４３］  同時非メンバーユーザの数が前記パラメータによって指定された前記最大数にいつ達するかを識別することと、
少なくとも１つの同時非メンバーユーザについてハンドオーバを開始することと
をさらに備える、Ｃ４１に記載の方法。
［Ｃ４４］  ワイヤレス通信装置であって、
モバイルデバイスから接続を確立したいという要求を受信することと、
前記モバイルデバイスが、前記ワイヤレス通信装置に関連付けられた限定加入者グループのメンバーまたは非メンバーのいずれであるのかを識別することと、
パラメータに少なくとも部分的に基づいて前記モバイルデバイスを承認すべきか拒否すべきかを決定することであって、前記パラメータが、同時非メンバーユーザの最大数を指定する、決定することと
を行うように構成された少なくとも１つのプロセッサ
を備える、ワイヤレス通信装置。
［Ｃ４５］  前記少なくとも１つのプロセッサが、
前記ワイヤレス通信装置に接続された非メンバーの現在の数を決定することと、
非メンバーの前記現在の数を前記パラメータと比較することと、
非メンバーの前記現在の数が前記パラメータ以上であるとき、前記要求を拒否することと、
非メンバーの前記現在の数が前記パラメータ未満であるとき、前記モバイルデバイスを承認することと
を行うようにさらに構成された、Ｃ４４に記載のワイヤレス通信装置。
［Ｃ４６］  前記少なくとも１つのプロセッサが、
同時非メンバーユーザの数が前記パラメータによって指定された前記最大数にいつ達するかを識別することと、
少なくとも１つの同時非メンバーユーザについてハンドオーバを開始することと
を行うようにさらに構成された、Ｃ４４に記載のワイヤレス通信装置。
［Ｃ４７］  装置であって、
モバイルデバイスから接続を確立したいという要求を受信するための手段と、
前記モバイルデバイスが、前記装置に関連付けられた限定加入者グループのメンバーまたは非メンバーのいずれであるのかを識別するための手段と、
パラメータに少なくとも部分的に基づいて前記モバイルデバイスを承認すべきか拒否すべきかを決定するための手段であって、前記パラメータが、同時非メンバーユーザの最大数を指定する、決定するための手段と
を備える、装置。
［Ｃ４８］  前記装置に接続された非メンバーの現在の数を決定するための手段と、
非メンバーの前記現在の数を前記パラメータと比較するための手段と、
非メンバーの前記現在の数が前記パラメータ以上であるとき、前記要求を拒否するための手段と、
非メンバーの前記現在の数が前記パラメータ未満であるとき、前記モバイルデバイスを承認するための手段と
をさらに備える、Ｃ４７に記載の装置。
［Ｃ４９］  同時非メンバーユーザの数が前記パラメータによって指定された前記最大数にいつ達するかを識別するための手段と、
少なくとも１つの同時非メンバーユーザについてハンドオーバを開始するための手段とをさらに備える、Ｃ４７に記載の装置。
［Ｃ５０］    少なくとも１つのコンピュータに、モバイルデバイスから接続を確立したいという要求を受信させるためのコードと、
前記少なくとも１つのコンピュータに、前記モバイルデバイスが、ホーム基地局に関連付けられた限定加入者グループのメンバーまたは非メンバーのいずれであるのかを識別させるためのコードと、
前記少なくとも１つのコンピュータに、パラメータに少なくとも部分的に基づいて前記モバイルデバイスを承認すべきか拒否すべきかを決定させるためのコードであって、前記パラメータが、同時非メンバーユーザの最大数を指定する、決定させるためのコードと
を備える、コンピュータ可読媒体
を備える、コンピュータプログラム製品。
［Ｃ５１］  前記コンピュータ可読媒体が、
前記少なくとも１つのコンピュータに、前記ホーム基地局に接続された非メンバーの現在の数を決定させるためのコードと、
前記少なくとも１つのコンピュータに、非メンバーの前記現在の数を前記パラメータと比較させるためのコードと、
前記少なくとも１つのコンピュータに、非メンバーの前記現在の数が前記パラメータ以上であるとき、前記要求を拒否させるためのコードと、
前記少なくとも１つのコンピュータに、非メンバーの前記現在の数が前記パラメータ未満であるとき、前記モバイルデバイスを承認させるためのコードと
をさらに備える、Ｃ５０に記載のコンピュータプログラム製品。
［Ｃ５２］  前記コンピュータ可読媒体が、
前記少なくとも１つのコンピュータに、同時非メンバーユーザの数が前記パラメータによって指定された前記最大数にいつ達するかを識別させるためのコードと、
前記少なくとも１つのコンピュータに、少なくとも１つの同時非メンバーユーザについてハンドオーバを開始させるためのコードと
をさらに備える、Ｃ５０に記載のコンピュータプログラム製品。
［Ｃ５３］  モバイルデバイスが限定加入者グループのメンバーまたは非メンバーのいずれであるのかを決定する識別モジュールと、
前記モバイルデバイスが前記限定加入者グループの非メンバーであるとき、パラメータに基づいて前記モバイルデバイスとの接続を確立すべきかどうかを決定するアクセス制御モジュールと
を備える、装置。
［Ｃ５４］  前記パラメータが、前記装置にアクセスすることが許された同時非メンバーの最大数を指定する、Ｃ５３に記載の装置。
［Ｃ５５］  前記識別モジュールが、前記モバイルデバイスに関連付けられた識別情報を取得し、前記識別情報をアクセスリストに問い合わせる、Ｃ５３に記載の装置。
［Ｃ５６］  前記装置と複数のモバイルデバイスとの間の現在の接続を監視し、それらの接続にそれぞれ関連したモバイルデバイスが前記限定加入者グループのメンバーであるのか非メンバーであるのかに関するインジケーションとともに現在の接続を列挙する現在のユーザリストを維持する、モニタモジュールであって、
前記アクセス制御モジュールが、アクセス制御決定を実施するために、前記パラメータを考慮して前記現在のユーザリストを分析する、モニタモジュール
をさらに備える、Ｃ５３に記載の装置。
【図１】
0005479607.tif 000002
【図２】
0005479607.tif 000003
【図３】
0005479607.tif 000004
【図４】
0005479607.tif 000005
【図５】
0005479607.tif 000006
【図６】
0005479607.tif 000007
【図７】
0005479607.tif 000008
【図８】
0005479607.tif 000009
【図９】
0005479607.tif 000010
【図１０】
0005479607.tif 000011
【図１１】
0005479607.tif 000012
【図１２】
0005479607.tif 000013
【図１３】
0005479607.tif 000014
【図１４】
0005479607.tif 000015
【図１５】
0005479607.tif 000016
【図１６】
0005479607.tif 000017
【図１７】
0005479607.tif 000018
【図１８】
0005479607.tif 000019
【図１９】
0005479607.tif 000020
【図２０】
0005479607.tif 000021